(57)【要約】【課題】ＴＤＤを採用する無線通信システムにおいて、スループットを向上させつつ、関連するセル間での干渉を抑制すること。【解決手段】無線通信における時間の単位であるサブフレームごとのリンク方向を動的に設定可能なチャネル上で、セル内の１つ以上の端末装置と通信する無線通信部と、上記チャネルのリンク方向の設定と上記セル内の端末装置の位置とに基づいて、上記端末装置への通信リソースの割当てを制御する制御部と、を備える通信制御装置が提供される。【選択図】図７
2013168467.tif 000002
【特許請求の範囲】
【請求項１】
無線通信における時間の単位であるサブフレームごとのリンク方向を動的に設定可能なチャネル上で、セル内の１つ以上の端末装置と通信する無線通信部と、
前記チャネルのリンク方向の設定と前記セル内の端末装置の位置とに基づいて、前記端末装置への通信リソースの割当てを制御する制御部と、
を備える通信制御装置。
【請求項２】
前記チャネルは、少なくとも第１の周波数帯域及び第２の周波数帯域を含み、
前記通信制御装置は、前記第１の周波数帯域のサブフレームごとのリンク方向を動的に設定し、前記第２の周波数帯域のサブフレームごとのリンク方向を、前記セルと当該セルに関連する関連セルとの間のリンク方向の相違が少なくなるように設定する設定部、をさらに備え、
前記制御部は、前記セルの端部に位置する端末装置に前記第１の周波数帯域の通信リソースを割り当てない、
請求項１に記載の通信制御装置。
【請求項３】
前記関連セルは、前記セルに隣接する隣接セルである、請求項２に記載の通信制御装置。
【請求項４】
前記セルは、スモールセルの一部又は全体と重複するマクロセルであり、
前記設定部は、前記スモールセルでのサブフレームごとのリンク方向を、前記セルと前記スモールセルとの間のリンク方向の相違が少なくなるように前記スモールセルの通信ノードに設定させる、
請求項３に記載の通信制御装置。
【請求項５】
前記設定部は、前記スモールセルが前記セルの端部に位置する場合に、前記スモールセルでの前記第２の周波数帯域のリンク方向を、前記セルと前記スモールセルとの間のリンク方向の相違が少なくなるように前記スモールセルの通信ノードに設定させる、
請求項４に記載の通信制御装置。
【請求項６】
前記通信ノードは、前記スモールセルが前記セルの端部に位置する場合に、前記第２の周波数帯域とは別の周波数帯域のサブフレームごとのリンク方向を動的に設定し、且つ前記スモールセルの端部に位置する端末装置に当該別の周波数帯域の通信リソースを割り当てない、請求項５に記載の通信制御装置。
【請求項７】
前記設定部は、前記スモールセルが前記セルの端部に位置しない場合に、前記スモールセルでの前記第１の周波数帯域のリンク方向を、前記セルと前記スモールセルとの間のリンク方向の相違が少なくなるように前記スモールセルの通信ノードに設定させる、請求項４に記載の通信制御装置。
【請求項８】
前記通信ノードは、前記スモールセルが前記セルの端部に位置しない場合に、前記第１の周波数帯域とは別の周波数帯域のサブフレームごとのリンク方向を動的に設定し、且つ前記スモールセルの端部に位置する端末装置に当該別の周波数帯域の通信リソースを割り当てない、請求項７に記載の通信制御装置。
【請求項９】
前記設定部は、当該設定部により設定される前記第１の周波数帯域のサブフレームごとのリンク方向又は前記第２の周波数帯域のサブフレームごとのリンク方向を前記通信ノードに通知することにより、前記スモールセルでのサブフレームごとのリンク方向を前記通信ノードに設定させる、請求項４に記載の通信制御装置。
【請求項１０】
前記制御部は、前記セルでのリンク方向と前記スモールセルでのリンク方向とが異なるサブフレームにおいて前記セルでの送信電力を減少させる、請求項４に記載の通信制御装置。
【請求項１１】
前記セルは、スモールセルであり、
前記関連セルは、前記セルの一部又は全体と重複するマクロセルである、
請求項２に記載の通信制御装置。
【請求項１２】
前記関連セルでは、端末装置の位置に応じた周波数帯域の通信リソースが当該端末装置に割り当てられ、
前記第２の周波数帯域は、前記セルが前記関連セルの端部に位置する場合に、前記関連セルの端部に位置する端末装置に割り当てられる周波数帯域であり、前記セルが前記関連セルの端部に位置しない場合に、前記関連セルの端部に位置しない端末装置に割り当てられる周波数帯域である、
請求項１１に記載の通信制御装置。
【請求項１３】
前記制御部は、前記セルでの前記第２の周波数帯域のリンク方向と前記関連セルでの前記第２の周波数帯域のリンク方向とが異なるサブフレームにおいて前記関連セルでの送信電力を減少させるように、前記関連セルの通信ノードに要求する、請求項１１に記載の通信制御装置。
【請求項１４】
前記設定部は、前記第２の周波数帯域のサブフレームごとの前記リンク方向を静的又は準静的に設定する、請求項２に記載の通信制御装置。
【請求項１５】
前記第１の周波数帯域及び前記第２の周波数帯域の各々はコンポーネントキャリアである、請求項２に記載の通信制御装置。
【請求項１６】
前記制御部は、前記セルでのリンク方向と当該セルに関連する関連セルでのリンク方向とが異なるサブフレームにおける通信リソースを、前記セルの端部に位置する端末装置に割り当てない、請求項１に記載の通信制御装置。
【請求項１７】
前記関連セルは、前記セルに隣接する隣接セルである、請求項１６に記載の通信制御装置。
【請求項１８】
前記セルは、スモールセルであり、
前記関連セルは、前記セルの一部又は全体と重複するマクロセルである、
請求項１６に記載の通信制御装置。
【請求項１９】
無線通信における時間の単位であるサブフレームごとのリンク方向を動的に設定可能なチャネル上で、セル内の１つ以上の端末装置と通信することと、
前記チャネルのリンク方向の設定と前記セル内の端末装置の位置とに基づいて、前記端末装置への通信リソースの割当てを制御することと、
を含む通信制御方法。
【請求項２０】
無線通信における時間の単位であるサブフレームごとのリンク方向を動的に設定可能なチャネル上で、セル内の基地局と通信する無線通信部
を備え、
前記無線通信部は、前記チャネルのリンク方向の設定と前記セル内の自装置の位置とに基づく前記基地局による自装置への通信リソースの割当てに従って、前記基地局と通信する、
端末装置。
【発明の詳細な説明】
【技術分野】
【０００１】
本開示は、通信制御装置、通信制御方法及び端末装置に関する。
【背景技術】
【０００２】
現在、第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）により規格化されたＬＴＥ（Ｌｏｎｇ  Ｔｅｒｍ  Ｅｖｏｌｕｔｉｏｎ）に準拠した無線通信システムが導入されている。さらに、第４世代の無線通信システムの規格として、ＬＴＥ−Ａｄｖａｎｃｅｄが検討されている。ＬＴＥ又はＬＴＥ−Ａｄｖａｎｃｅｄに準拠した無線通信システムでは、周波数分割複信（ＦＤＤ：Ｆｒｑｕｅｎｃｙ  Ｄｉｖｉｓｉｏｎ  Ｄｕｐｌｅｘ）又は時分割複信（ＴＤＤ：Ｔｉｍｅ  Ｄｉｖｉｓｉｏｎ  Ｄｕｐｌｅｘ）が採用され得る。【０００３】
ＬＴＥに準拠した無線通信システムではＦＤＤが採用されることが一般的であったが、ＴＤＤはＦＤＤと比べていくつかのメリットがある。例えば、ＦＤＤでは、アップリンク用の周波数帯域とダウンリンク用の周波数帯域とのペアを確保しなければならないが、ＴＤＤでは、１つの周波数帯域を確保すればよい。また、ＦＤＤでは、アップリンク用の通信リソースとダウンリンク用の通信リソースとの比率が固定されるが、ＴＤＤでは、アップリンク用の通信リソースとダウンリンク用の通信リソースとの比率は変更可能である。即ち、ＴＤＤでは、無線フレーム内のサブフレームごとのリンク方向のコンフィギュレーション（Ｃｏｎｆｉｇｕｒａｔｉｏｎ）を変更することにより、アップリンク用の通信リソースとダウンリンク用の通信リソースとの比率を変更することが可能である。このようなメリットから、ＬＴＥ又はＬＴＥ−Ａｄｖａｎｃｅｄに準拠した無線通信システムにおいてＴＤＤが採用されることが、今後増えていくと予測される。そのため、ＬＴＥ  ＴＤＤに関連する様々な技術が提案されている。【０００４】
例えば、特許文献１には、ダウンリンクサブフレームとアップリンクサブフレームとの境界を移動させ、移動前後の境界間のサブフレームで他のＨｏｍｅ  ＮｏｄｅＢと通信することで、Ｈｏｍｅ  ｅＮｏｄｅＢ間の無線通信を実現する技術が開示されている。
【先行技術文献】
【特許文献】
【０００５】
【特許文献１】特開２０１２−１０３１０号公報
【発明の概要】
【発明が解決しようとする課題】
【０００６】
ＴＤＤでは、アップリンク用の通信リソースとダウンリンク用の通信リソースとの比率を変更できるので、ダウンリンク又はアップリンクのトラフィック量を考慮して、セルごとに別々のリンク方向のコンフィギュレーションを設定することも考えられる。しかし、セルごとに別々のリンク方向のコンフィギュレーションが設定される場合には、同一のサブフレームにおいて関連するセル間でリンク方向が異なることもあり、その結果、当該関連するセル間で干渉が発生し得る。例えば、あるセル内でｅＮｏｄｅＢからのダウンリンク信号を受信しているユーザ機器（ＵＥ）が、当該セルに隣接する隣接セル内のＵＥのアップリンク信号を受信することで、当該アップリンク信号が上記ダウンリンク信号に干渉し得る。スループットのさらなる向上のために、各セルにおいてアップリンク又はダウンリンクのトラフィック量の増減に応じて上記リンク方向のコンフィギュレーションを動的に設定するような場合には、セル間で上記干渉を制御することは非常に難しい。【０００７】
そこで、ＴＤＤを採用する無線通信システムにおいて、スループットを向上させつつ、関連するセル間での干渉を抑制することが望ましい。
【課題を解決するための手段】
【０００８】
本開示によれば、無線通信における時間の単位であるサブフレームごとのリンク方向を動的に設定可能なチャネル上で、セル内の１つ以上の端末装置と通信する無線通信部と、上記チャネルのリンク方向の設定と上記セル内の端末装置の位置とに基づいて、上記端末装置への通信リソースの割当てを制御する制御部と、を備える通信制御装置が提供される。【０００９】
本開示によれば、無線通信における時間の単位であるサブフレームごとのリンク方向を動的に設定可能なチャネル上で、セル内の１つ以上の端末装置と通信することと、上記チャネルのリンク方向の設定と上記セル内の端末装置の位置とに基づいて、上記端末装置への通信リソースの割当てを制御することと、を含む通信制御方法が提供される。【００１０】
本開示によれば、無線通信における時間の単位であるサブフレームごとのリンク方向を動的に設定可能なチャネル上で、セル内の基地局と通信する無線通信部を備え、上記無線通信部は、上記チャネルのリンク方向の設定と上記セル内の自装置の位置とに基づく上記基地局による自装置への通信リソースの割当てに従って、上記基地局と通信する、端末装置が提供される。
【発明の効果】
【００１１】
以上説明したように本開示によれば、通信制御装置、通信制御方法及び端末装置によれば、ＴＤＤを採用する無線通信システムにおいて、スループットを向上させつつ、関連するセル間での干渉を抑制することが可能となる。
【図面の簡単な説明】
【００１２】
【図１】ＴＤＤの無線フレームのフォーマットの一例を説明するための説明図である。
【図２】ＴＤＤの無線フレームに含まれるスペシャルサブフレームの一例を説明するための説明図である。
【図３】ＴＤＤの無線フレームにおけるサブフレームごとのリンク方向のコンフィギュレーションの例を説明するための説明図である。
【図４】隣接するセル間でリンク方向が異なるサブフレームにおける干渉の一例を説明するための説明図である。
【図５】マクロセルとスモールセルとの間でリンク方向が異なるサブフレームにおける干渉の第１の例を説明するための説明図である。
【図６】マクロセルとスモールセルとの間でリンク方向が異なるサブフレームにおける干渉の第２の例を説明するための説明図である。
【図７】第１の実施形態の概略を説明するための説明図である。
【図８】第１の実施形態に係るｅＮｏｄｅＢの構成の一例を示すブロック図である。
【図９】第１の実施形態に係るＵＥの構成の一例を示すブロック図である。
【図１０】第１の実施形態に係る通信制御処理の概略的な流れの一例を示すフローチャートである。
【図１１】第１の実施形態の変形例の概略を説明するための説明図である。
【図１２】スモールセルにおけるｅＮｏｄｅＢ及びＵＥの動作を説明するための説明図である。
【図１３】スモールセル内の通信に使用するサブフレームの選択の例を説明するための説明図である。
【図１４】第１の実施形態の変形例に係る通信制御処理の概略的な流れの一例を示すフローチャートである。
【図１５】第２の実施形態の概略を説明するための第１の説明図である。
【図１６】第２の実施形態の概略を説明するための第２の説明図である。
【図１７】第２の実施形態に係るｅＮｏｄｅＢの構成の一例を示すブロック図である。
【図１８】第２の実施形態に係る通信制御処理の概略的な流れの一例を示すフローチャートである。
【図１９】、第３の実施形態の概略を説明するための説明図である。
【図２０】第３の実施形態に係るｅＮｏｄｅＢの構成の一例を示すブロック図である。
【図２１】第３の実施形態に係る通信制御処理の概略的な流れの一例を示すフローチャートである。
【図２２】第４の実施形態の概略を説明するための説明図である。
【図２３】第４の実施形態に係るｅＮｏｄｅＢの構成の一例を示すブロック図である。
【図２４】第４の実施形態に係る通信制御処理の概略的な流れの一例を示すフローチャートである。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．はじめに
１．１．ＴＤＤに関する一般論
１．２．ＴＤＤに関する技術的課題
２．第１の実施形態
２．１．概略
２．２．ｅＮｏｄｅＢの構成
２．３．ＵＥの構成
２．４．処理の流れ
２．５．変形例
３．第２の実施形態
３．１．概略
３．２．ｅＮｏｄｅＢの構成
３．３．処理の流れ
４．第３の実施形態
４．１．概略
４．２．ｅＮｏｄｅＢの構成
４．３．処理の流れ
５．第４の実施形態
５．１．概略
５．２．ｅＮｏｄｅＢの構成
５．３．処理の流れ
６．まとめ
【００１５】
＜＜１．はじめに＞＞
まず、ＴＤＤに関する一般論及びＴＤＤに関する技術的課題を説明する。なお、本明細書では、ＬＴＥ又はＬＴＥ−Ａｄｖａｎｃｅｄに準拠した無線通信システムを例として用いて、上記一般論、技術的課題、及び各実施形態を説明するが、当然のことながら、本開示は当該例に限定されない。
【００１６】
＜１．１．ＴＤＤに関する一般論＞
図１〜３を参照して、ＴＤＤに関する一般論を説明する。
【００１７】
（ＬＴＥにおけるＴＤＤ）
ＬＴＥでは、ＦＤＤ又はＴＤＤのいずれも採用可能である。ＦＤＤでは、周波数方向において、アップリンク専用の周波数帯域とダウンリンク専用の周波数帯域とが使用される。また、ＦＤＤでは、時間方向において、１０個のサブフレームを含む無線フレームのフォーマットが使用される。一方、ＴＤＤでも、時間方向において、１０個のサブフレームを含む無線フレームのフォーマットが使用される。しかし、ＴＤＤでは、アップリンク及びダウンリンクの両方の通信に同一の周波数帯域が使用される。以下、ＴＤＤの無線フレームのフォーマットを図１を参照してより具体的に説明する。
【００１８】
図１は、ＴＤＤの無線フレームのフォーマットの一例を説明するための説明図である。図１を参照すると、無線フレーム（Ｒａｄｉｏ  Ｆｒａｍｅ）は、ＬＴＥにおける１つの時間の単位であり、その長さは１０ｍｓである。さらに、１つの無線フレームは、１０個のサブフレーム（Ｓｕｂ−Ｆｒａｍｅ）を含む。サブフレームも、ＬＴＥにおける１つの時間の単位であり、その長さは、１ｍｓである。ＴＤＤでは、サブフレームごとのリンク方向が設定される。例えば、図１に示される無線フレームでは、♯０のサブフレームのリンク方向としてダウンリンク方向が設定され、♯３のサブフレームのリンク方向としてアップリンク方向が設定される。
【００１９】
ここで、アップリンクとは、ＵＥからｅＮｏｄｅＢへの通信のことであり、ダウンリンクとは、ｅＮｏｄｅＢからＵＥへの通信のことである。図１では、Ｄ、Ｕ、及びＳが、それぞれ、ダウンリンクサブフレーム、アップリンクサブフレーム、及びスペシャルサブフレームを示す。スペシャルサブフレームについては、後に説明する。
【００２０】
ＬＴＥに準拠した無線通信システムではＦＤＤが採用されることが一般的であった。しかし、ＴＤＤにはＦＤＤと比べていくつかのメリットがある。
【００２１】
例えば、ＴＤＤには、周波数帯域の確保の観点からのメリットがある。ＦＤＤでは、アップリンク用の周波数帯域とダウンリンク用の周波数帯域とのペアを確保しなければならないが、ＴＤＤでは、１つの周波数帯域を確保すればよい。
【００２２】
また、例えば、ＴＤＤには、アップリンクとダウンリンクとの比率の観点からのメリットがある。一例として、ＦＤＤでは、アップリンク用の２０ＭＨｚの周波数帯域とダウンリンク用の２０ＭＨｚの周波数帯域とが確保された場合に、アップリンク用の通信リソースとダウンリンク用の通信リソースとの比率は１対１に固定される。一方、ＴＤＤでは、２０ＭＨｚの周波数帯域が確保された場合に、アップリンク用の通信リソースとダウンリンク用の通信リソースとの比率は変更可能である。即ち、ＴＤＤでは、無線フレーム内のサブフレームごとのリンク方向のコンフィギュレーション（以下、「ＴＤＤコンフィギュレーション」と呼ぶ）を変更することにより、アップリンク用の通信リソースとダウンリンク用の通信リソースとの比率を変更することが可能である。
【００２３】
このようなメリットから、ＬＴＥ又はＬＴＥ−Ａｄｖａｎｃｅｄに準拠した無線通信システムにおいてＴＤＤが採用されることが、今後増えていくと予測される。
【００２４】
なお、ＴＤＤでは、上述したようなメリットがあるが一方、ダウンリンクとアップリンクとの切り替えのための時間を確保する必要がある。そのため、ＴＤＤでは、ダウンリンクサブフレームとアップリンクサブフレームとの間に、スペシャルサブフレームが挿入される。以下、当該スペシャルサブフレームを、図２を参照してより具体的に説明する。
【００２５】
図２は、ＴＤＤの無線フレームに含まれるスペシャルサブフレームの一例を説明するための説明図である。図２を参照すると、図１に示された無線フレームのうちの♯０〜♯２のサブフレームが示されている。ここで、♯０のサブフレームはダウンリンクサブフレームであり、♯１のサブフレームはスペシャルサブフレームであり、♯２のサブフレームはアップリンクサブフレームである。ｅＮｏｄｅＢの観点によれば、♯０のサブフレームのダウンリンク信号をＵＥが受信する時間は、空間での伝搬遅延及びＵＥ内での処理遅延により、フォーマットにおける♯０のサブフレームの時間よりも遅延する。また、フォーマットにおける♯２のサブフレームの時間にｅＮｏｄｅＢにデータが到着するためには、ＵＥはアップリンク信号を前もって送信する必要がある。したがって、スペシャルサブフレームは、ダウンリンクについての遅延分の時間及びアップリンクについての前倒し分の時間を稼ぐための領域として定義される。即ち、スペシャルサブフレームは、ダウンリンクパイロットタイムスロット（ＤｗＰＴＳ）及びアップリンクパイロットタイムスロット（ＵｐＰＴＳ）を含む。また、スペシャルサブフレームは、さらに、ガード区間（Ｇｕａｒｄ  Ｐｅｒｉｏｄ）を含む。このように、ダウンリンクとアップリンクとの切り替え時にスペシャルサブフレームが挿入されることが、ＴＤＤのデメリットである。
【００２６】
（具体的なＴＤＤコンフィギュレーション）
ＬＴＥ  ＴＤＤは、３ＧＰＰのリリース８で定義された。ＴＳ  ３６．２１１  Ｔａｂｌｅ  ４．２−２：Ｕｐｌｉｎｋ−Ｄｏｗｎｌｉｎｋ  ｃｏｎｆｉｇｕｒａｔｉｏｎｓでは、ＴＤＤの無線フレームにおけるサブフレームごとのリンク方向のコンフィギュレーション（即ち、ＴＤＤコンフィギュレーション）が示されている。以下、当該ＴＤＤコンフィギュレーションを、図３を参照してより具体的に説明する。
【００２７】
図３は、ＴＤＤの無線フレームにおけるサブフレームごとのリンク方向のコンフィギュレーションの例を説明するための説明図である。図３を参照すると、３ＧＰＰでは、Ｃｏｎｆｉｇｕｒａｔｉｏｎ  ０〜６の７つのＴＤＤコンフィギュレーションが定義されている。上述したように、ＬＴＥ  ＴＤＤでは、無線フレームが１０個のサブフレームを含み、サブフレームごとのリンク方向が設定される。１０個のサブフレームのうちの♯０及び♯５のサブフレームではｅＮｏｄｅＢからの同期信号が送信されるので、♯０及び♯５のサブフレームのリンク方向は常にダウンリンク方向に固定的に設定される。さらに、♯１のサブフレームは、いずれのＴＤＤコンフィギュレーションにおいてもスペシャルサブフレームとなる。また、♯２のサブフレームのリンク方向は、アップリンク方向に固定的に設定される。一方、♯６のサブフレームは、スペシャルサブフレーム又はダウンリンクサブフレームのいずれかである。また、♯３、♯４、♯７、♯８及び♯９のサブフレームのリンク方向は、アップリンク方向又はダウンリンク方向のいずれかに設定される。
【００２８】
一般的に、各オペレータが７つのＴＤＤコンフィギュレーションのうちのいずれか１つを選択して使用することが想定されている。したがって、各オペレータが、例えば隣接するセル間で別々のＴＤＤコンフィギュレーションを設定することは、想定されていない。
【００２９】
＜１．２．ＴＤＤに関する技術的課題＞
次に、図４〜６を参照して、ＴＤＤに関する技術的課題を説明する。
【００３０】
（具体的な干渉の例）
３ＧＰＰの２０１１年３月にカンザスシティで開かれたＰｌｅｎａｒｙ  Ｍｅｅｔｉｎｇにおいて、隣接するセル間で別々のＴＤＤコンフィギュレーションを設定することにより干渉の問題を研究していくことが決定された。これにより、世の中の流れとして、ＬＴＥ  ＴＤＤは、関連するセル（例えば、隣接するセル）間で別々のＴＤＤコンフィギュレーションを設定するという方向に動き出したといえる。以下、関連するセル間（例えば、隣接するセル間、マクロセルとスモールセルとの間）で別々のＴＤＤコンフィギュレーションを設定する場合に発生する具体的な干渉を、図４〜６を参照してより具体的に説明する。
【００３１】
図４は、隣接するセル間でリンク方向が異なるサブフレームにおける干渉の一例を説明するための説明図である。図４を参照すると、セル１０ａと当該セル１０ａに隣接するセル１０ｂとが示されている。また、セル１０ａ内には、ｅＮｏｄｅＢ１１ａ及びＵＥ２１ａが存在し、セル１０ｂ内には、ｅＮｏｄｅＢ１１ｂ及びＵＥ２１ｂが存在している。ここでは、あるサブフレームにおいて、セル１０ａ内でのリンク方向がダウンリンク方向であり、セル１０ｂ内でのリンク方向がアップリンク方向であるものとする。この場合に、セル１０ａ内でｅＮｏｄｅＢ１１ａからのダウンリンク信号１３を受信しているＵＥ２１ａが、セル１０ｂ内のＵＥ２１ｂからのアップリンク信号２３を受信することで、アップリンク信号２３がダウンリンク信号１３に干渉し得る。また、セル１０ｂ内でＵＥ２１ｂからのアップリンク信号２３を受信しているｅＮｏｄｅＢ１１ｂが、セル１０ａ内のｅＮｏｄｅＢ１１ａからのダウンリンク信号１３を受信することで、ダウンリンク信号１３がアップリンク信号２３に干渉し得る。即ち、図４において干渉信号は点線で示されている。
【００３２】
図５は、マクロセルとスモールセルとの間でリンク方向が異なるサブフレームにおける干渉の第１の例を説明するための説明図である。図５を参照すると、マクロセル３０とスモールセル４０とが示されている。マクロセル３０は、スモールセル４０の一部又は全体と重複する。また、マクロセル３０内には、ｅＮｏｄｅＢ３１及びＵＥ２１ｃが存在し、スモールセル４０内には、ｅＮｏｄｅＢ４１及びＵＥ２１ｄが存在している。ここでは、あるサブフレームにおいて、マクロセル３０内でのリンク方向がダウンリンク方向であり、スモールセル４０内でのリンク方向がアップリンク方向であるものとする。この場合に、マクロセル３０内でｅＮｏｄｅＢ３１からのダウンリンク信号３３を受信しているＵＥ２１ｃが、スモールセル４０ｂ内のＵＥ２１ｄからのアップリンク信号２５を受信することで、アップリンク信号２５がダウンリンク信号３３に干渉し得る。また、スモールセル４０内でＵＥ２１ｄからのアップリンク信号２５を受信しているｅＮｏｄｅＢ４１が、マクロセル３０内のｅＮｏｄｅＢ３１からのダウンリンク信号３３を受信することで、ダウンリンク信号３３がアップリンク信号２５に干渉し得る。即ち、図５においても干渉信号は点線で示されている。
【００３３】
図６は、マクロセルとスモールセルとの間でリンク方向が異なるサブフレームにおける干渉の第２の例を説明するための説明図である。図６を参照すると、図５と同様に、マクロセル３０とスモールセル４０とが示されている。また、ｅＮｏｄｅＢ３１、ＵＥ２１ｃ、ｅＮｏｄｅＢ４１及びＵＥ２１ｄも示されている。ここでは、あるサブフレームにおいて、マクロセル３０内でのリンク方向がアップリンク方向であり、スモールセル４０内でのリンク方向がダウンリンク方向であるものとする。この場合に、スモールセル４０内でｅＮｏｄｅＢ４１からのダウンリンク信号４３を受信しているＵＥ２１ｄが、マクロセル３０内のＵＥ２１ｃからのアップリンク信号２７を受信することで、アップリンク信号２７がダウンリンク信号４３に干渉し得る。また、マクロセル３０内でＵＥ２１ｃからのアップリンク信号２７を受信しているｅＮｏｄｅＢ３１が、スモールセル４０内のｅＮｏｄｅＢ４１からのダウンリンク信号４３を受信することで、ダウンリンク信号４３がアップリンク信号２７に干渉し得る。即ち、図６においても干渉信号は点線で示されている。
【００３４】
なお、スモールセル４０は、フェムトセル、ナノセル、ピコセル及びマイクロセル等を含む概念である。スモールセル４０は、マクロセル３０の通信容量を増加させるための補完的なセルであり、マクロセルのｅＮｏｄｅＢと比べてより小さいｅＮｏｄｅＢの設置により導入され得る。
【００３５】
（動的なＴＤＤコンフィギュレーションの変更）
以上のように、関連するセル間で別々ＴＤＤコンフィギュレーションが設定されることで当該関連するセル間での干渉が発生し得る一方、ＴＤＤコンフィギュレーションをセルごとに動的に設定することが求められている。これは、各セル内でのアップリンク又はダウンリンクのトラフィック量に合わせて適当なＴＤＤコンフィギュレーションを選択することにより、スループットの向上が見込めるからである。即ち、セル内でアップリンクのトラフィック量が増加した場合には、当該トラフィック量の増加に応じてより多くのアップリンクサブフレームを含むＴＤＤコンフィギュレーションが選択されるべきである。また、セル内でダウンリンクのトラフィック量が増加した場合には、当該トラフィック量の増加に応じてより多くのダウンリンクサブフレームを含むＴＤＤコンフィギュレーションが選択されるべきである。当該トラフィック量の特性はセルごとに異なるので、セルごとにＴＤＤコンフィギュレーションを独立に動的に設定することが望ましい。例えば、無線フレームの長さが１０ｍｓなので、１０ｍｓ〜数１０ｍｓごとにＴＤＤコンフィギュレーションを設定することが考えられる。
【００３６】
（技術的課題）
上述したように、関連するセル間で別々のＴＤＤコンフィギュレーションを設定することで干渉が発生し得る一方、スループットの向上のためにリンク方向のＴＤＤコンフィギュレーションを動的に設定することが求められる。しかし、各セルにおいてＴＤＤコンフィギュレーションを動的に（例えば、数１０ｍｓごとに）設定するような場合には、セル間で上記干渉を制御することは非常に難しい。
【００３７】
そこで、本実施形態では、ＴＤＤを採用する無線通信システムにおいて、スループットを向上させつつ、関連するセル間（例えば、隣接するセル間、マクロセルとスモールセルとの間）での干渉を抑制することを可能にする。以降、＜２．第１の実施形態＞、＜３．第２の実施形態＞、＜４．第３の実施形態＞及び＜５．第４の実施形態＞において、その具体的な内容を説明する。
【００３８】
＜＜２．第１の実施形態＞＞
＜２．１．概略＞
まず、本開示の第１の実施形態を説明する。第１の実施形態では、第１の周波数帯域のサブフレームごとのリンク方向が動的に設定され、第２の周波数帯域のサブフレームごとのリンク方向が、隣接するセル間のリンク方向の相違が少なくなるように、即ち、リンク方向がなるべく共通になるように設定される。そして、セルの端部に位置する端末装置には、第１の周波数帯域の通信リソースが割り当てられない。以下、このような第１の実施形態の概略を、図７を参照してより具体的に説明する。
【００３９】
図７は、第１の実施形態の概略を説明するための説明図である。図７を参照すると、セル１０ａと当該セル１０ａに隣接するセル１０ｂとが示されている。本実施形態では、セル１０は、ｅＮｏｄｅＢ１００−１から遠い端部と、端部以外の中心部（即ち、ｅＮｏｄｅＢ１００−１に近い中心部）とに分けられる。そして、セル１０の中心部では、ＴＤＤコンフィギュレーションが動的に設定される一方、セル１０の端部では、隣接セルのＴＤＤコンフィギュレーションと同一の又は類似するＴＤＤコンフィギュレーションが設定される。ここで、隣接セルのＴＤＤコンフィギュレーションと類似するＴＤＤコンフィギュレーションとは、隣接セルのコンフィギュレーションとの間でリンク方向が異なるサブフレームが少ないＴＤＤコンフィギュレーションを意味する。例えば、図３に示されるＣｏｎｆｉｇｕｒａｔｉｏｎ  ３とＣｏｎｆｉｇｕｒａｔｉｏｎ  ４とは、♯４のサブフレームを除くサブフレームにおいて共通のリンク方向を有するので、互いに類似するＴＤＤコンフィギュレーションであると言える。また、例えば、セル１０の端部では、ＴＤＤコンフィギュレーションが静的又は準静的に設定される。
【００４０】
通常のＬＴＥでは、１つの周波数帯域（即ち、１つの２０ＭＨｚのコンポーネントキャリア（ＣＣ））の中で、異なるＴＤＤコンフィギュレーションを使用することはできないので、キャリアアグリゲーションの仕組みが使用される。キャリアアグリゲーションは、複数のＣＣを束ねて使用することによりトータルのスループットを向上する技術である。例えば、当該複数のＣＣがＣＣ１及びＣＣ２を含む場合に、ＣＣ１は、セル１０の中心部に位置するＵＥ２００のための通信リソースとして使用され、ＣＣ２は、セル１０の端部（及び中心部）に位置するＵＥ２００のための通信リソースとして使用される。そして、ＣＣ１では、ＴＤＤコンフィギュレーションは、セル内のトラフィック量に応じて動的に設定される。また、ＣＣ２では、ＴＤＤコンフィギュレーションは、隣接セルのＴＤＤコンフィギュレーションと同一の又は類似するＴＤＤコンフィギュレーションに（例えば静的又は準静的に）設定される。
【００４１】
このようなＴＤＤコンフィギュレーションの設定及び通信リソースの割当てにより、動的にリンク方向が設定される周波数帯域の通信リソースは、セル１０の中心部に位置するＵＥ２００のみに割り当てられる。そのため、後述するように当該通信リソースの送信電力を小さくすることができる。その結果、当該通信リソース上でのアップリンク信号は、隣接セルのダウンリンク信号にほとんど干渉せず、当該通信リソース上でのダウンリンク信号は、隣接セルのアップリンク信号にほとんど干渉しない。即ち、動的にリンク方向が設定される周波数帯域では、図４に示されるような干渉はほとんど発生しない。なお、隣接セルとのリンク方向の相違が少ない周波数帯域の通信リソースのみが、セル１０の端部に位置するＵＥ２００に割り当てられるので、当然ながら、当該周波数帯域では、図４に示されるような干渉はほとんど発生しない。したがって、ＴＤＤを採用する無線通信システムにおいて、動的なリンク方向の設定によりスループットを向上させつつ、隣接するセル間での干渉を抑制することが可能になる。
【００４２】
なお、ｅＮｏｄｅＢ１００−１は、ＣＣ１でのダウンリンクに小さい送信電力（例えば、Ｐｏｗｅｒ  １）を割り当て、ＣＣ２でのダウンリンクに大きい送信電力（例えば、Ｐｏｗｅｒ  ２）を割り当てる。また、ｅＮｏｄｅＢ１００−１は、セル１０の中心部に位置し、且つＣＣ１の通信リソースをアップリンクのために割り当てられたＵＥ２００に、ＣＣ１でのアップリンクに小さい送信電力（例えば、Ｐｏｗｅｒ  １）を割り当てさせる。また、ｅＮｏｄｅＢ１００−１は、セル１０の端部に位置し、且つＣＣ２の通信リソースをアップリンクのために割り当てられたＵＥ２００に、ＣＣ２でのアップリンクに大きい送信電力（例えば、Ｐｏｗｅｒ  ２）を割り当てさせる。これは、ｅＮｏｄｅＢ１００−１とＵＥ２００との間の距離が小さい場合には、送信電力が小さくてもよく、当該距離が大きい場合には、送信電力が大きくする必要があるからである。当該電力の割当てにより、セル１０ａの中心部のためのＣＣ１のダウンリンク信号及びアップリンク信号は、隣接するセル１０ｂの中心部には到達しにくくなる。よって、上述したように、セルごとに別々のＴＤＤコンフィギュレーションが動的に設定されることに起因する干渉は抑制される。
【００４３】
＜２．２．ｅＮｏｄｅＢの構成＞
図８を参照して、第１の実施形態に係るｅＮｏｄｅＢ１００−１の構成の一例について説明する。図８は、第１の実施形態に係るｅＮｏｄｅＢ１００−１の構成の一例を示すブロック図である。図８を参照すると、ｅＮｏｄｅＢ１００−１は、無線通信部１１０、ネットワーク通信部１２０、記憶部１３０及び処理部１４０を備える。
【００４４】
（無線通信部１１０）
無線通信部１１０は、無線通信における時間の単位であるサブフレームごとのリンク方向を動的に設定可能なチャネル上で、セル１０内の１つ以上のＵＥ２００と通信する。上記チャネルは、例えば、少なくとも第１の周波数帯域及び第２の周波数帯域を含む。また、上記第１の周波数帯域及び上記第２の周波数帯域の各々は、コンポーネントキャリアである。即ち、無線通信部１１０は、サブフレームごとのリンク方向を動的に設定可能であるＣＣ１及びＣＣ２上で、セル１０内のＵＥ２００と通信する。また、無線通信部１１０は、リソースの割当てに従って、セル１０内のＵＥ２００へのダウンリンク信号を送信し、セル１０内のＵＥ２００からのアップリンク信号を受信する。なお、無線通信部１１０は、例えばアンテナ及びＲＦ回路を含む。
【００４５】
（ネットワーク通信部１２０）
ネットワーク通信部１２０は、他のｅＮｏｄｅＢを含む通信ノードと通信する。例えば、ｅＮｏｄｅＢ間のＸ２インターフェースは、ネットワーク通信部１２０を介して実現され得る。ネットワーク通信部１２０は、無線通信部１１０と共通化され得る無線通信モジュールを含んでもよく、又はＬＡＮ接続端子等の有線通信モジュールを含んでもよい。
【００４６】
（記憶部１３０）
記憶部１３０は、ｅＮｏｄｅＢ１００−１の動作のためのプログラム及びデータを記憶する。記憶部１３０は、例えばハードディスク又は半導体メモリ等の記憶媒体を含む。
【００４７】
（処理部１４０）
処理部１４０は、ｅＮｏｄｅＢ１００−１の様々な機能を提供する。例えば、処理部１４０は、ＣＰＵ（Ｃｅｎｔｒａｌ  Ｐｒｏｃｅｓｓｉｎｇ  Ｕｎｉｔ）又はＤＳＰ（Ｄｉｇｉｔａｌ  Ｓｉｇｎａｌ  Ｐｒｏｃｅｓｓｏｒ）等のプロセッサに相当し、記憶部１３０又は他の記憶媒体に記憶されるプログラムを実行することにより、上記様々な機能を提供する。処理部１４０は、端末位置測定部１４１、トラフィック量測定部１４３、リンク方向設定部１４５、リソース制御部１４７及び電力制御部１４９を含む。
【００４８】
（端末位置測定部１４１）
端末位置測定部１４１は、セル１０内のＵＥ２００の位置を測定する。当該位置は、例えばｅＮｏｄｅＢ１００−１とＵＥ２００との間の距離により示される。例えば、端末位置測定部１４１は、各ＵＥ２００のためのタイミングアドバンス値から、ｅＮｏｄｅＢ１００−１とＵＥ２００との間の距離を測定する。
【００４９】
（トラフィック量測定部１４３）
トラフィック量測定部１４３は、セル１０内のアップリンクのトラフィック量及びダウンリンクのトラフィック量を測定する。トラフィック量測定部１４３は、所定の期間内のトラフィック量の実績値を測定してもよく、又は、ＵＥ２００からのスケジューリング要求等に基づいて、所定の期間に予測されるトラフィック量の推定値を測定してもよい。また、トラフィック量測定部１４３は、セル１０の端部でのトラフィック量とセル１０の中心部でのトラフィック量とを別々に測定してもよく、又は、両方のトラフィック量を区別せずに一括で測定してもよい。
【００５０】
（リンク方向設定部１４５）
リンク方向設定部１４５は、上記第１の周波数帯域のサブフレームごとのリンク方向を動的に設定し、上記第２の周波数帯域のサブフレームごとのリンク方向を、セル１０と当該セル１０に関連する関連セルとの間のリンク方向の相違が少なくなるように設定する。本実施形態では、上記関連セルは、セル１０に隣接する隣接セルである。例えば、リンク方向設定部１４５は、アップリンク又はダウンリンクのトラフィック量に応じて、ＣＣ１のＴＤＤコンフィギュレーションを動的に設定する。一例として、ＣＣ１のＴＤＤコンフィギュレーションは、１０ｍｓ〜数１０ｍｓごとに設定される。また、リンク方向設定部１４５は、ＣＣ２のＴＤＤコンフィギュレーションを、隣接セルのＣＣ２のＴＤＤコンフィギュレーションと同一又は類似のＴＤＤコンフィギュレーションに設定する。一例として、リンク方向設定部１４５は、ネットワーク通信部１２０を介して、測定されたトラフィック量に基づいてＣＣ２のリンク方向の設定について隣接セルのｅＮｏｄｅＢ１００−１と交渉する。セル１０のｅＮｏｄｅＢ１００−１と隣接セルのｅＮｏｄｅＢ１００−１との間のインターフェースは、Ｘ２インターフェースである。
【００５１】
また、リンク方向設定部１４５は、上記第２の周波数帯域のサブフレームごとの上記リンク方向を静的又は準静的に設定する。例えば、リンク方向設定部１４５は、ＣＣ２のＴＤＤコンフィギュレーションを静的又は準静的に設定する。一例として、リンク方向設定部１４５は、所定の時間が経過する度にＣＣ２のＴＤＤコンフィギュレーションを設定する。当該所定の時間は、ＣＣ１の設定の周期よりも長い時間である。このような静的又は準静的な設定により、ｅＮｏｄｅＢ間でのＴＤＤコンフィギュレーションの調整のための通信及び処理を最小限に抑えることが可能となる。
【００５２】
（リソース制御部１４７）
リソース制御部１４７は、サブフレームごとのリンク方向を動的に設定可能な上記チャネルのリンク方向の設定とセル１０内のＵＥ２００の位置とに基づいて、ＵＥ２００への通信リソースの割当てを制御する。とりわけ、本実施形態では、リソース制御部１４７は、セル１０の端部に位置するＵＥ２００に上記第１の周波数帯域の通信リソースを割り当てない。例えば、リソース制御部１４７は、セル１０の端部に位置するＵＥ２００にＣＣ１の通信リソースを割り当てず、セル１０の端部に位置しないＵＥ２００（即ち、セル１０の中心部に位置するＵＥ２００）にＣＣ１の通信リソースを割り当てる。また、例えば、リソース制御部１４７は、セル１０の端部（及びセル１０の中心部）に位置するＵＥ２００に、ＣＣ２の通信リソースを割り当てる。
【００５３】
（電力制御部１４９）
電力制御部１４９は、セル１０における送信電力を制御する。例えば、電力制御部１４９は、無線通信部１１０による送信電力を制御する。例えば、電力制御部１４９は、上記第１の周波数帯域（例えば、ＣＣ１）でのダウンリンクに小さい送信電力を割り当て、上記第２の周波数帯域（例えば、ＣＣ２）でのダウンリンクに大きい送信電力を割り当てる。
【００５４】
また、例えば、ｅＮｏｄｅＢ１００−１は、セル１０の中心部に位置し、且つ上記第１の周波数帯域（例えば、ＣＣ１）の通信リソースをアップリンクのために割り当てられたＵＥ２００に、上記第１の周波数帯域でのアップリンクに小さい送信電力を割り当てさせる。また、ｅＮｏｄｅＢ１００−１は、セル１０の端部に位置し、且つ上記第２の周波数帯域（例えば、ＣＣ２）の通信リソースをアップリンクのために割り当てられたＵＥ２００に、上記第２の周波数帯域でのアップリンクに大きい送信電力を割り当てさせる。
【００５５】
＜２．３．ＵＥの構成＞
図９を参照して、第１の実施形態に係るＵＥ２００の構成の一例について説明する。図９は、第１の実施形態に係るＵＥ２００の構成の一例を示すブロック図である。図９を参照すると、ＵＥ２００は、無線通信部２１０、記憶部２２０及び処理部２３０を備える。
【００５６】
（無線通信部２１０）
無線通信部２１０は、無線通信における時間の単位であるサブフレームごとのリンク方向を動的に設定可能なチャネル上で、セル１０内のｅＮｏｄｅＢ１００−１と通信する。また、無線通信部２１０は、上記チャネルのリンク方向の設定とセル１０内の自装置の位置とに基づくｅＮｏｄｅＢ１００−１による自装置への通信リソースの割当てに従って、ｅＮｏｄｅＢ１００−１と通信する。
【００５７】
例えば、上記チャネルは、少なくとも第１の周波数帯域及び第２の周波数帯域を含む。そして、上記第１の周波数帯域及び上記第２の周波数帯域の各々は、コンポーネントキャリアである。即ち、無線通信部２１０は、サブフレームごとのリンク方向を動的に設定可能であるＣＣ１及びＣＣ２上で、セル１０内のｅＮｏｄｅＢ１００−１と通信する。また、ｅＮｏｄｅＢ１００−１が、ＣＣ１及びＣＣ２のＴＤＤコンフィギュレーションの設定とセル１０内のＵＥ２００の位置とに基づいてＵＥ２００への通信リソースの割当てを行うので、無線通信部２１０は、当該通信リソースの割当てに従って通信する。なお、無線通信部１１０は、例えばアンテナ及びＲＦ回路を含む。
【００５８】
（記憶部２２０）
記憶部２２０は、ＵＥ２００の動作のためのプログラム及びデータを記憶する。記憶部２２０は、例えばハードディスク又は半導体メモリ等の記憶媒体を含む。
【００５９】
（処理部２３０）
処理部２３０は、ＵＥ２００の様々な機能を提供する。例えば、処理部２３０は、ＣＰＵ（Ｃｅｎｔｒａｌ  Ｐｒｏｃｅｓｓｉｎｇ  Ｕｎｉｔ）又はＤＳＰ（Ｄｉｇｉｔａｌ  Ｓｉｇｎａｌ  Ｐｒｏｃｅｓｓｏｒ）等のプロセッサに相当し、記憶部２２０又は他の記憶媒体に記憶されるプログラムを実行することにより、上記様々な機能を提供する。一例として、処理部２３０は、無線通信部２１０の通信を制御する。
【００６０】
例えば、処理部２３０は、無線通信部２１０により受信されたダウンリンク信号から、システム情報を取得する。また、処理部２３０は、当該システム情報から、設定されたＴＤＤコンフィギュレーションを認識する。例えば、各ＣＣのダウンリンク信号において、ＣＣごとのシステム情報が取得され、当該ＣＣごとのシステム情報から、ＣＣごとのＴＤＤコンフィギュレーションが認識される。そして、処理部２３０は、無線通信部２１０に、認識されたＴＤＤコンフィギュレーションに基づいて通信させる。
【００６１】
また、例えば、処理部２３０は、無線通信部２１０により受信されたダウンリンク信号から、アップリンク及びダウンリンクのスケジューリング情報を取得する。また、処理部２３０は、当該スケジューリング情報から、ＵＥ２００への通信リソースの割当てを認識する。そして、処理部２３０は、当該通信リソースの割当てに従って、無線通信部２１０に通信させる。
【００６２】
＜２．４．処理の流れ＞
次に、図１０を参照して、第１の実施形態に係る通信制御処理の一例について説明する。図１０は、第１の実施形態に係る通信制御処理の概略的な流れの一例を示すフローチャートである。なお、当該通信制御処理は、ｅＮｏｄｅＢ１００−１における処理である。
【００６３】
まず、ステップＳ５０１で、端末位置測定部１４１は、セル１０内のＵＥ２００の位置を測定する。また、ステップＳ５０３で、トラフィック量測定部１４３は、セル１０内のアップリンクのトラフィック量及びダウンリンクのトラフィック量を測定する。そして、ステップＳ５０５で、リンク方向設定部１４５は、測定されたトラフィック量に基づいてＣＣ１のリンク方向（即ち、ＴＤＤコンフィギュレーション）を設定する。
【００６４】
また、ステップＳ５０７で、リンク方向設定部１４５は、所定の時間が経過したかを判定する。所定の時間が経過していれば、処理はステップＳ５０９へ進む。そうでなければ、処理はステップＳ５１３へ進む。
【００６５】
ステップＳ５０９で、リンク方向設定部１４５は、ネットワーク通信部１２０を介して、測定されたトラフィック量に基づいてＣＣ２のリンク方向の設定について隣接セルのｅＮｏｄｅＢ１００−１と交渉する。そして、ステップＳ５１１で、リンク方向設定部１４５は、隣接セルのｅＮｏｄｅＢ１００−１との交渉の結果に基づいて、ＣＣ２のリンク方向（即ち、ＴＤＤコンフィギュレーション）を設定する。
【００６６】
ステップＳ５１３で、リソース制御部１４７は、セル１０の端部（及びセル１０の中心部）に位置するＵＥ２００に、ＣＣ２の通信リソースを割り当てる。また、ステップＳ５１５で、リソース制御部１４７は、セル１０の端部に位置しないＵＥ２００（即ち、セル１０の中心部に位置するＵＥ２００）にＣＣ１の通信リソースを割り当てる。
【００６７】
ステップＳ５１７で、無線通信部１１０は、割り当てられた通信リソースを用いてＵＥ２００と通信する。
【００６８】
＜２．５．変形例＞
（１）概略
次に、第１の実施形態の変形例を説明する。本変形例では、セル１０は、スモールセルの一部又は全体と重複するマクロセルである。そして、ｅＮｏｄｅＢ１００−１は、上記スモールセルでのサブフレームごとのリンク方向を、セル１０と上記スモールセルとの間のリンク方向の相違が少なくなるように上記スモールセルの通信ノード（例えば、ｅＮｏｄｅＢ）に設定させる。以下、このような第１の実施形態の変形例の概略を、図１１を参照してより具体的に説明する。
【００６９】
図１１は、第１の実施形態の変形例の概略を説明するための説明図である。図１１を参照すると、マクロセルであるセル１０と２つのスモールセル４０とが示されている。セル１０は、図７を参照して説明されたセル１０と同様である。即ち、セル１０では、ＣＣ１は、セル１０の中心部に位置するＵＥ２００のための通信リソースとして使用され、ＣＣ２は、セル１０の端部（及び中心部）に位置するＵＥ２００のための通信リソースとして使用される。また、スモールセル４０ａは、セル１０の端部に位置し、スモールセル４０ｂは、セル１０の中心部に位置する。
【００７０】
このような場合に、例えば、ｅＮｏｄｅＢ１００−１は、ｅＮｏｄｅＢ４１ａに、スモールセル４０ａのＣＣ２のＴＤＤコンフィギュレーションを、セル１０のＣＣ２のＴＤＤコンフィギュレーションと同一又は類似のＴＤＤコンフィギュレーションに設定させる。また、ｅＮｏｄｅＢ１００−１は、ｅＮｏｄｅＢ４１ｂに、スモールセル４０ｂのＣＣ１のＴＤＤコンフィギュレーションを、セル１０のＣＣ１のＴＤＤコンフィギュレーションと同一又は類似のＴＤＤコンフィギュレーションに設定させる。
【００７１】
このようなＴＤＤコンフィギュレーションの設定により、ほとんどのサブフレームにおいて、マクロセルであるセル１０でのリンク方向とスモールセル４０でのリンク方向とが一致する。よって、図５及び図６を参照して説明された干渉を抑制することができる。
【００７２】
（スモールセルのバリエーション）
なお、スモールセル４０も、セル１０と同様に、ｅＮｏｄｅＢ４１から遠い端部と、端部以外の中心部（即ち、ｅＮｏｄｅＢ４１に近い中心部）とに分けられてもよい。以下、この点について図１２を参照してより具体的に説明する。
【００７３】
図１２は、スモールセル４０におけるｅＮｏｄｅＢ４１及びＵＥ２００の動作を説明するための説明図である。図１２を参照すると、図１１にも示されているスモールセル４０ａ、４０ｂが示されている。この場合に、スモールセル４０ａのｅＮｏｄｅＢ４１ａは、ＣＣ２とは別のＣＣのサブフレームごとのリンク方向を動的に設定し、且つスモールセル４０ａの端部に位置するＵＥ２００ｅに当該別の周波数帯域の通信リソースを割り当てない。ｅＮｏｄｅＢ４１ａは、スモールセル４０ａの中心部に位置するＵＥ２００ｆに当該別の周波数帯域の通信リソースを割り当てる。また、スモールセル４０ｂのｅＮｏｄｅＢ４１ｂは、ＣＣ１とは別のＣＣのサブフレームごとのリンク方向を動的に設定し、且つスモールセル４０ｂの端部に位置するＵＥ２００ｇに当該別の周波数帯域の通信リソースを割り当てない。ｅＮｏｄｅＢ４１ｂは、スモールセル４０ｂの中心部に位置するＵＥ２００ｈに当該別の周波数帯域の通信リソースを割り当てる。
【００７４】
このようなリソースの割り当てにより、動的にリンク方向が設定される周波数帯域（即ち、上記別の周波数帯）の通信リソースは、スモールセル４０の中心部に位置するＵＥ２００のみに割り当てられる。そのため、スモールセルにおいて、当該通信リソースの送信電力を小さくすることができる。その結果、スモールセルの当該通信リソース上でのアップリンク信号は、セル１０のダウンリンク信号にほとんど干渉せず、スモールセルの当該通信リソース上でのダウンリンク信号は、マクロセルのアップリンク信号にほとんど干渉しない。即ち、動的にリンク方向が設定される周波数帯域では、図５及び図６に示されるようなスモールセル側からマクロセル側への干渉はほとんど発生しない。
【００７５】
さらに、スモールセル４０の中心部に位置するＵＥ２００とｅＮｏｄｅＢ４１との距離は、ｅＮｏｄｅＢ１００−１とｅＮｏｄｅＢ４１との距離と比べて小さいので、セル１０のダウンリンク信号は、スモールセル４０のアップリンク信号にほとんど干渉しない。また、スモールセル４０の中心部に位置するＵＥ２００とｅＮｏｄｅＢ４１との距離は、当該ＵＥ２００とｅＮｏｄｅＢ１００−１と通信するＵＥ２００との距離と比べて小さいので、セル１０のアップリンク信号は、スモールセル４０のダウンリンク信号にほとんど干渉しない。即ち、動的にリンク方向が設定される周波数帯域では、図５及び図６に示されるようなマクロセル側からスモールセル側への干渉はほとんど発生しない。
【００７６】
なお、スモールセル４０では、セル１０とのリンク方向の相違が少ない周波数帯域（ＣＣ１又はＣＣ２）の通信リソースのみが、スモールセル４０の端部に位置するＵＥ２００に割り当てられる。よって、当該周波数帯域では、図５及び図６に示されるような干渉はほとんど発生しない。
【００７７】
したがって、ＴＤＤを採用する無線通信システムにおいて、動的なリンク方向の設定によりスループットを向上させつつ、マクロセルとスモールセルとの間での干渉を抑制することが可能になる。
【００７８】
（２）ｅＮｏｄｅＢの構成
本変形例では、図８を参照して説明されたｅＮｏｄｅＢ１００−１のリンク方向設定部１４５及び電力制御部１４９は、さらに、以下のように動作する。なお、上述したとおり、本変形例では、セル１０は、スモールセル４０の一部又は全体と重複するマクロセルである。
【００７９】
（リンク方向設定部１４５）
リンク方向設定部１４５は、スモールセル４０でのサブフレームごとのリンク方向を、セル１０とスモールセル４０との間のリンク方向の相違が少なくなるようにスモールセル４０のｅＮｏｄｅＢ４１に設定させる。即ち、リンク方向設定部１４５は、ｅＮｏｄｅＢ４１に、スモールセル４０のＴＤＤコンフィギュレーションを、セル１０のＴＤＤコンフィギュレーションと同一の又は類似するＴＤＤコンフィギュレーションに設定させる。
【００８０】
例えば、リンク方向設定部１４５は、スモールセル４０がセル１０の端部に位置する場合に、スモールセル４０での上記第２の周波数帯域のリンク方向を、セル１０とスモールセル４０との間のリンク方向の相違が少なくなるようにｅＮｏｄｅＢ４１に設定させる。即ち、リンク方向設定部１４５は、ｅＮｏｄｅＢ４１ａに、スモールセル４０ａでのＣＣ２のＴＤＤコンフィギュレーションを、セル１０のＣＣ２のＴＤＤコンフィギュレーションと同一の又は類似するＴＤＤコンフィギュレーションに設定させる。この場合に、例えば、セル１０のＣＣ２のＴＤＤコンフィギュレーションと同様に、スモールセル４０ａでのＣＣ２のＴＤＤコンフィギュレーションは、静的又は準静的に設定される。
【００８１】
また、例えば、リンク方向設定部１４５は、スモールセル４０がセル１０の端部に位置しない場合に、スモールセル４０での上記第１の周波数帯域のリンク方向を、セル１０とスモールセル４０との間のリンク方向の相違が少なくなるようにｅＮｏｄｅＢ４１に設定させる。即ち、リンク方向設定部１４５は、ｅＮｏｄｅＢ４１ｂに、スモールセル４０ｂでのＣＣ１のＴＤＤコンフィギュレーションを、セル１０のＣＣ１のＴＤＤコンフィギュレーションと同一の又は類似するＴＤＤコンフィギュレーションに設定させる。この場合に、例えば、セル１０のＣＣ１のＴＤＤコンフィギュレーションと同様に、スモールセル４０ｂでのＣＣ１のＴＤＤコンフィギュレーションは、動的に設定される。
【００８２】
具体的なｅＮｏｄｅＢ４１の制御の手法として、リンク方向設定部１４５は、リンク方向設定部１４５により設定される上記第１の周波数帯域のサブフレームごとのリンク方向又は上記第２の周波数帯域のサブフレームごとのリンク方向をｅＮｏｄｅＢ４１に通知する。これにより、リンク方向設定部１４５は、スモールセル４０でのサブフレームごとのリンク方向をｅＮｏｄｅＢ４１に設定させる。リンク方向設定部１４５は、例えばネットワーク通信部１２０を介して、ｅＮｏｄｅＢ４１への上記通知を行う。
【００８３】
なお、図１２を参照して説明したように、ｅＮｏｄｅＢ４１は、スモールセル４０がセル１０の端部に位置する場合に、上記第２の周波数帯域とは別の周波数帯域のサブフレームごとのリンク方向を動的に設定し、且つスモールセル４０の端部に位置するＵＥ２００に当該別の周波数帯域の通信リソースを割り当てないようにしてもよい。即ち、ｅＮｏｄｅＢ４１は、ＣＣ２とは別のＣＣのＴＤＤコンフィギュレーションを動的に設定し、且つスモールセル４０ａの端部に位置するＵＥ２００ｅに当該別のＣＣの通信リソースを割り当てないようにしてもよい。
【００８４】
同様に、図１２を参照して説明したように、ｅＮｏｄｅＢ４１は、スモールセル４０がセル１０の端部に位置しない場合に、上記第１の周波数帯域とは別の周波数帯域のサブフレームごとのリンク方向を動的に設定し、且つスモールセル４０の端部に位置する端末装置に当該別の周波数帯域の通信リソースを割り当てないようにしてもよい。即ち、ｅＮｏｄｅＢ４１は、ＣＣ１とは別のＣＣのＴＤＤコンフィギュレーションを動的に設定し、且つスモールセル４０ｂの端部に位置するＵＥ２００ｇに当該別のＣＣの通信リソースを割り当てないようにしてもよい。
【００８５】
（電力制御部１４９）
電力制御部１４９は、セル１０でのリンク方向とスモールセル４０でのリンク方向とが異なるサブフレームにおいてセル１０での送信電力を減少させてもよい。例えば、電力制御部１４９は、セル１０でのＣＣ２のリンク方向とスモールセル４０ａでのＣＣ２でのリンク方向とが異なるサブフレームにおいて、セル１０でのＣＣ２の送信電力を減少させる。また、例えば、電力制御部１４９は、セル１０でのＣＣ１のリンク方向とスモールセル４０ｂでのＣＣ１でのリンク方向とが異なるサブフレームにおいて、セル１０でのＣＣ１の送信電力を減少させる。この場合に、例えば、電力制御部１４９は、ネットワーク通信部１２０を介して、スモールセル４０でのリンク方向（即ち、ＴＤＤコンフィギュレーション）をｅＮｏｄｅＢ４１により通知される。
【００８６】
このように送信電力を減少させることで、セル１０のダウンリンク信号によるスモールセル４０のアップリンク信号への干渉、及びセル１０のアップリンク信号によるスモールセル４０のダウンリンク信号への干渉をより抑制することができる。
【００８７】
（その他）
なお、スモールセル４０において通信に使用可能なサブフレームの数に制限がある場合には、スモールセル４０内でのダウンリンク又はアップリンクのトラフィック量に合わせて、通信に使用するサブフレームが選択されてもよい。即ち、ダウンリンク又はアップリンクのトラフィック量に合わせて、無線フレームにおけるアップリンクサブフレームとダウンリンクサブフレームとの比率が変更されてもよい。以下、この点について図１３を参照してより具体的に説明する。
【００８８】
図１３は、スモールセル内の通信に使用するサブフレームの選択の例を説明するための説明図である。図１３を参照すると、セル１０の中心部に位置するＵＥ２００の通信リソースとして使用されるＣＣ１には、図３のＣｏｎｆｉｇｕｒａｔｉｏｎ  １に該当するＴＤＤコンフィギュレーションが設定されている。また、セル１０の端部に位置するＵＥ２００の通信リソースとして使用されるＣＣ２には、図３のＣｏｎｆｉｇｕｒａｔｉｏｎ  ３に該当するＴＤＤコンフィギュレーションが設定されている。
【００８９】
セル１０の端部に位置するスモールセル４０ａでは、アップリンクのトラフィック量と比べてダウンリンクのトラフィック量が多いので、より多くのダウンリンクサブフレームが、通信に使用するサブフレームとして選択される。一方、セル１０の端部に位置するスモールセル４０ｃでは、ダウンリンクのトラフィック量と比べてアップリンクのトラフィック量が多いので、より多くのアップリンクサブフレームが、通信に使用するサブフレームとして選択される。
【００９０】
同様に、セル１０の中心部に位置するスモールセル４０ｂでは、アップリンクのトラフィック量と比べてダウンリンクのトラフィック量が多いので、より多くのダウンリンクサブフレームが、通信に使用するサブフレームとして選択される。一方、セル１０の中心部に位置するスモールセル４０ｄでは、ダウンリンクのトラフィック量と比べてアップリンクのトラフィック量が多いので、より多くのアップリンクサブフレームが、通信に使用するサブフレームとして選択される。
【００９１】
（３）処理の流れ
次に、図１４を参照して、第１の実施形態の変形例に係る通信制御処理の一例について説明する。図１４は、第１の実施形態の変形例に係る通信制御処理の概略的な流れの一例を示すフローチャートである。当該通信制御処理は、ｅＮｏｄｅＢ１００−１における処理である。ここでは、図１０を参照して説明された第１の実施形態に係る通信制御処理の一例と、当該変形例に係る通信制御処理の一例との差分である、ステップＳ５２１のみを説明する。
【００９２】
ステップＳ５２１で、リンク方向設定部１４５は、リンク方向設定部１４５により設定されるＣＣ１のサブフレームごとのリンク方向又はＣＣ２のサブフレームごとのリンク方向をｅＮｏｄｅＢ４１に通知する。これにより、リンク方向設定部１４５は、スモールセル４０でのサブフレームごとのリンク方向をｅＮｏｄｅＢ４１に設定させる。リンク方向設定部１４５は、例えばネットワーク通信部１２０を介して、ｅＮｏｄｅＢ４１への上記通知を行う。
【００９３】
＜＜３．第２の実施形態＞＞
＜３．１．概略＞
上述した第１の実施形態では、別のセルに隣接するセルのｅＮｏｄｅＢの動作に着目した。さらに、当該第１の実施形態の変形例では、別のセルに隣接する上記セルがマクロセルである場合における、当該マクロセルのｅＮｏｄｅＢの動作に着目した。次に説明する本開示の第２実施形態では、マクロセルと一部又は全体で重複するスモールセルのｅＮｏｄｅＢの動作に着目する。当該第２の実施形態では、スモールセルにおいて、第１の周波数帯域のサブフレームごとのリンク方向が動的に設定され、第２の周波数帯域のサブフレームごとのリンク方向が、スモールセルとマクロセルとの間のリンク方向の相違が少なくなるように、即ち、リンク方向がなるべく共通になるように設定される。そして、スモールセルの端部に位置する端末装置には、第１の周波数帯域の通信リソースが割り当てられない。以下、このような第２の実施形態の概略を、図１５及び図１６を参照してより具体的に説明する。
【００９４】
図１５及び図１６は、第２の実施形態の概略を説明するための説明図である。図１５を参照すると、マクロセル３０とスモールセルであるセル１０とが示されている。本実施形態に係るｅＮｏｄｅＢ１００−２は、スモールセルのｅＮｏｄｅＢである。図１６を参照すると、スモールセルであるセル１０がより詳細に示されている。本実施形態では、セル１０は、ｅＮｏｄｅＢ１００−２から遠い端部と、端部以外の中心部（即ち、ｅＮｏｄｅＢ１００−２に近い中心部）とに分けられる。そして、セル１０の中心部では、ＴＤＤコンフィギュレーションが動的に設定される一方、セル１０の端部では、マクロセルのＴＤＤコンフィギュレーションと同一の又は類似するＴＤＤコンフィギュレーションが設定される。また、例えば、セル１０の端部では、ＴＤＤコンフィギュレーションが静的又は準静的に設定される。
【００９５】
例えば、スモールセルであるセル１０において、複数のセルを束ねて使用する技術であるキャリアアグリゲーションの仕組みが使用される。当該複数のＣＣがＣＣ１及びＣＣ２を含む場合に、ＣＣ１は、セル１０の中心部に位置するＵＥ２００のための通信リソースとして使用され、ＣＣ２は、セル１０の端部（及び中心部）に位置するＵＥ２００のための通信リソースとして使用される。そして、ＣＣ１では、ＴＤＤコンフィギュレーションは、トラフィックに応じて動的に設定される。また、ＣＣ２では、ＴＤＤコンフィギュレーションは、マクロセルのＴＤＤコンフィギュレーションと同一の又は類似するＴＤＤコンフィギュレーションとなるように、例えば静的又は準静的に設定される。
【００９６】
このようなＴＤＤコンフィギュレーションの設定及び通信リソースの割当てにより、セル１０において、動的にリンク方向が設定される周波数帯域の通信リソースは、スモールセルであるセル１０の中心部に位置するＵＥ２００のみに割り当てられる。そのため、セル１０において、当該通信リソースの送信電力を小さくすることができる。その結果、セル１０の当該通信リソース上でのアップリンク信号は、マクロセル３０のダウンリンク信号にほとんど干渉せず、セル１０の当該通信リソース上でのダウンリンク信号は、マクロセル３０のアップリンク信号にほとんど干渉しない。即ち、動的にリンク方向が設定される周波数帯域では、図５及び図６に示されるようなスモールセル側からマクロセル側への干渉はほとんど発生しない。
【００９７】
さらに、スモールセルであるセル１０の中心部に位置するＵＥ２００とｅＮｏｄｅＢ１００−２との距離は、ｅＮｏｄｅＢ３１とｅＮｏｄｅＢ１００−２との距離と比べて小さいので、マクロセル３０のダウンリンク信号は、セル１０のアップリンク信号にほとんど干渉しない。また、セル１０の中心部に位置するＵＥ２００とｅＮｏｄｅＢ１００−２との距離は、当該ＵＥ２００とｅＮｏｄｅＢ３１と通信するＵＥ２００との距離と比べて小さいので、マクロセル３０のアップリンク信号は、セル１０のダウンリンク信号にほとんど干渉しない。即ち、動的にリンク方向が設定される周波数帯域では、図５及び図６に示されるようなマクロセル側からスモールセル側への干渉はほとんど発生しない。
【００９８】
なお、スモールセルであるセル１０では、マクロセル３０とのリンク方向の相違が少ない周波数帯域（ＣＣ２）の通信リソースのみが、セル１０の端部に位置するＵＥ２００に割り当てられる。よって、当該周波数帯域では、図５及び図６に示されるような干渉はほとんど発生しない。
【００９９】
したがって、ＴＤＤを採用する無線通信システムにおいて、動的なリンク方向の設定によりスループットを向上させつつ、マクロセルとスモールセルとの間での干渉を抑制することが可能になる。
【０１００】
＜３．２．ｅＮｏｄｅＢの構成＞
図１７を参照して、第２の実施形態に係るｅＮｏｄｅＢ１００−２の構成の一例について説明する。図１７は、第２の実施形態に係るｅＮｏｄｅＢ１００−２の構成の一例を示すブロック図である。図１７を参照すると、ｅＮｏｄｅＢ１００−２は、無線通信部１１０、ネットワーク通信部１２０、記憶部１３０及び処理部１５０を備える。
【０１０１】
ここで、無線通信部１１０、ネットワーク通信部１２０及び記憶部１３０については、第１の実施形態と第２の実施形態との間で差異はない。また、処理部１５０の中でも、端末位置測定部１４１、トラフィック量測定部１４３及びリソース制御部１４７についても、第１の実施形態と第２の実施形態との間に差異はない。よって、ここでは、リンク方向設定部１５５及び電力制御部１５９について説明する。
【０１０２】
（リンク方向設定部１５５）
リンク方向設定部１５５は、上記第１の周波数帯域のサブフレームごとのリンク方向を動的に設定し、上記第２の周波数帯域のサブフレームごとのリンク方向を、セル１０と当該セル１０に関連する関連セルとの間のリンク方向の相違が少なくなるように設定する。本実施形態では、セル１０は、スモールセルであり、上記関連セルは、セル１０の一部又は全体と重複するマクロセル３０である。例えば、リンク方向設定部１５５は、アップリンク又はダウンリンクのトラフィック量に応じて、ＣＣ１のＴＤＤコンフィギュレーションを動的に設定する。一例として、ＣＣ１のＴＤＤコンフィギュレーションは、１０ｍｓ〜数１０ｍｓごとに設定される。また、リンク方向設定部１５５は、ＣＣ２のＴＤＤコンフィギュレーションを、マクロセル３０のＣＣ２のＴＤＤコンフィギュレーションと同一の又は類似するＴＤＤコンフィギュレーションに設定する。一例として、リンク方向設定部１５５は、ネットワーク通信部１２０を介して、マクロセル３０のＣＣ２のＴＤＤコンフィギュレーションをｅＮｏｄｅＢ３１により通知される。
【０１０３】
なお、マクロセル３０では、ＵＥ２００の位置に応じた周波数帯域の通信リソースが当該ＵＥに割り当てられてもよい。この場合に、セル１０がマクロセル３０の端部に位置するのであれば、上記第２の周波数帯域（例えば、ＣＣ２）は、マクロセル３０の端部に位置するＵＥ２００に割り当てられる周波数帯域であってもよい。また、セル１０がマクロセル３０の端部に位置しない（即ち、中心部に位置する）のであれば、上記第２の周波数帯域は、マクロセル３０の端部に位置しない（即ち、中心部に位置する）ＵＥ２００に割り当てられる周波数帯域であってもよい。
【０１０４】
（電力制御部１５９）
電力制御部１５９は、セル１０における送信電力を制御する。例えば、電力制御部１５９は、無線通信部１１０による送信電力を制御する。例えば、電力制御部１５９は、上記第１の周波数帯域（例えば、ＣＣ１）でのダウンリンクに小さい送信電力を割り当て、上記第２の周波数帯域（例えば、ＣＣ２）でのダウンリンクに大きい送信電力を割り当てる。
【０１０５】
また、例えば、ｅＮｏｄｅＢ１００−２は、セル１０の中心部に位置し、且つ上記第１の周波数帯域（例えば、ＣＣ１）の通信リソースをアップリンクのために割り当てられたＵＥ２００に、上記第１の周波数帯域でのアップリンクに小さい送信電力を割り当てさせる。また、ｅＮｏｄｅＢ１００−１は、セル１０の端部に位置し、且つ上記第２の周波数帯域（例えば、ＣＣ２）の通信リソースをアップリンクのために割り当てられたＵＥ２００に、上記第２の周波数帯域でのアップリンクに大きい送信電力を割り当てさせる。
【０１０６】
なお、電力制御部１５９は、セル１０での上記第２の周波数帯域のリンク方向とマクロセル３０での上記第２の周波数帯域のリンク方向とが異なるサブフレームにおいてマクロセル３０での送信電力を減少させるように、マクロセル３０のｅＮｏｄｅＢ３１に要求してもよい。例えば、電力制御部１５９は、ネットワーク通信部１２０を介して、セル１０でのＣＣ２のリンク方向とマクロセル３０でのＣＣ２のリンク方向とが異なるサブフレームを、ｅＮｏｄｅＢ３１に通知する。このようにマクロセル３０における送信電力を減少させることで、マクロセル３０のダウンリンク信号によるセル１０のアップリンク信号への干渉、及びマクロセル３０のアップリンク信号によるセル１０のダウンリンク信号への干渉をより抑制することができる。
【０１０７】
＜３．３．処理の流れ＞
次に、図１８を参照して、第２の実施形態に係る通信制御処理の一例について説明する。図１８は、第２の実施形態に係る通信制御処理の概略的な流れの一例を示すフローチャートである。当該通信制御処理は、ｅＮｏｄｅＢ１００−２における処理である。図１０を参照して説明された第１の実施形態に係る通信制御処理のステップＳ５０１〜Ｓ５０５、Ｓ５１１〜Ｓ５１７は、それぞれ、第２の実施形態に係る通信制御処理のステップＳ６０１〜Ｓ６０５、Ｓ６１１〜Ｓ６１７に対応する。よって、ここでは、図１０を参照して説明された第１の実施形態に係る通信制御処理の一例と、当該第２の実施形態に係る通信制御処理の一例との差分である、ステップＳ６０７のみを説明する。
【０１０８】
ステップＳ６０７で、リンク方向設定部１５５は、ネットワーク通信部１２０を介して、マクロセル３０のＣＣ２のリンク方向（即ち、ＴＤＤコンフィギュレーション）をｅＮｏｄｅＢ３１により通知されたかを判定する。当該リンク方向が通知されていれば、処理はステップＳ６１１へ進む。そうでなければ、処理はステップＳ６１３へ進む。
【０１０９】
＜＜４．第３の実施形態＞＞
＜４．１．概略＞
次に、本開示の第３実施形態を説明する。第３の実施形態では、セルでのリンク方向と当該セルに隣接する隣接セルでのリンク方向とが異なるサブフレームにおける通信リソースは、上記セルの端部に位置する端末装置に割り当てられない。以下、このような第３の実施形態の概略を、図１９を参照してより具体的に説明する。
【０１１０】
図１９は、第３の実施形態の概略を説明するための説明図である。図１９を参照すると、セル１０ａと当該セル１０ａに隣接するセル１０ｂとが示されている。セル１０ａとセル１０ｂでは、サブフレームごとのリンク方向（即ち、ＴＤＤコンフィギュレーション）が動的に設定される。一例として、ある無線フレームにおいて、セル１０ａでは、各周波数帯域に、図３のＣｏｎｆｉｇｕｒａｔｉｏｎ  ０に該当するＴＤＤコンフィギュレーションが設定されている。また、同一の無線フレームにおいて、セル１０ｂでは、各周波数帯域に、図３のＣｏｎｆｉｇｕｒａｔｉｏｎ  ６に該当するＴＤＤコンフィギュレーションが設定されている。この場合に、セル１０ａのリンク方向とセル１０ｂのリンク方向とが異なるサブフレームは、♯９のサブフレームである。そのため、♯０〜♯８のサブフレームでは、図４に示されるような干渉は発生しない一方、♯９のサブフレームでは、図４に示されるような干渉が発生し得る。そこで、本実施形態では、♯０〜８のサブフレームにおける通信リソースは、いずれのＵＥ２００にも割り当てられ得るが、♯９のサブフレームにおける通信リソースは、セル１０の端部に位置するＵＥ２００に割り当てられない。即ち、♯９のサブフレームにおける通信リソースは、セル１０の中心部に位置するＵＥ２００のみに割り当てられる。
【０１１１】
このような通信リソースの割当てにより、無線フレームのうちの、隣接するセル間でリンク方向が異なるサブフレームでは、通信リソースは、セル１０の中心部に位置するＵＥ２００のみに割り当てられる。そのため、当該サブフレームにおける送信電力を小さくすることができる。その結果、当該サブフレームでは、セル１０のアップリンク信号は、隣接セルのダウンリンク信号にほとんど干渉せず、セル１０のダウンリンク信号は、隣接セルのアップリンク信号にほとんど干渉しない。即ち、隣接するセル間でリンク方向が異なるサブフレームでも、図４に示されるような干渉はほとんど発生しない。また、当然ながら、無線フレームのうちの、隣接するセル間でリンク方向が同一のサブフレームでも、図４に示されるような干渉はほとんど発生しない。したがって、ＴＤＤを採用する無線通信システムにおいて、動的なリンク方向の設定によりスループットを向上させつつ、隣接するセル間での干渉を抑制することが可能になる。
【０１１２】
＜４．２．ｅＮｏｄｅＢの構成＞
図２０を参照して、第３の実施形態に係るｅＮｏｄｅＢ１００−３の構成の一例について説明する。図２０は、第３の実施形態に係るｅＮｏｄｅＢ１００−３の構成の一例を示すブロック図である。図２０を参照すると、ｅＮｏｄｅＢ１００−３は、無線通信部１１０、ネットワーク通信部１２０、記憶部１３０及び処理部１６０を備える。
【０１１３】
ここで、無線通信部１１０、ネットワーク通信部１２０及び記憶部１３０については、第１の実施形態と第３の実施形態との間で差異はない。また、処理部１６０の中でも、端末位置測定部１４１及びトラフィック量測定部１４３についても、第１の実施形態と第３の実施形態との間に差異はない。よって、ここでは、リンク方向設定部１６５、リソース制御部１６７及び電力制御部１６９について説明する。
【０１１４】
（リンク方向設定部１６５）
リンク方向設定部１６５は、１つ以上の周波数帯域のサブフレームごとのリンク方向を動的に設定する。例えば、上記１つ以上の周波数帯域は、ＣＣ１及びＣＣ２を含む。そして、リンク方向設定部１６５は、アップリンク又はダウンリンクのトラフィック量に応じて、ＣＣ１及びＣＣ２に、図３に示されるＴＤＤコンフィギュレーションのうちのいずれかを動的に設定する。一例として、ＴＤＤコンフィギュレーションは、１０ｍｓ〜数１０ｍｓごとに設定される。ＣＣ１及びＣＣ２には、同一のＴＤＤコンフィギュレーションが設定されてもよく、又は別々のＴＤＤコンフィギュレーションが設定されてもよい。
【０１１５】
また、リンク方向設定部１６５は、例えばネットワーク通信部１２０を介して、セル１０でのリンク方向（即ち、ＴＤＤコンフィギュレーション）を隣接セルに通知する。
【０１１６】
（リソース制御部１６７）
リソース制御部１６７は、サブフレームごとのリンク方向を動的に設定可能なチャネルのリンク方向の設定とセル１０内のＵＥ２００の位置とに基づいて、ＵＥ２００への通信リソースの割当てを制御する。とりわけ、本実施形態では、リソース制御部１６７は、セル１０でのリンク方向と当該セル１０に関連する関連セルでのリンク方向とが異なるサブフレームにおける通信リソースを、セル１０の端部に位置するＵＥ２００に割り当てない。当該関連セルは、セル１０に隣接する隣接セルである。例えば、セル１０と隣接セルとの間でリンク方向が異なるサブフレームが、♯９のサブフレームである場合に、リソース制御部１６７は、♯９のサブフレームにおける通信リソースを、セル１０の端部に位置するＵＥ２００に割り当てない。即ち、リソース制御部１６７は、♯９のサブフレームにおける通信リソースを、セル１０の中心部に位置するＵＥ２００のみに割り当てる。また、リソース制御部１６７は、♯０〜８のサブフレームにおける通信リソースを、セル１０の端部に位置するＵＥ２００及びセル１０の中心部に位置するＵＥ２００に割り当てる。
【０１１７】
なお、リソース制御部１６７は、隣接セルでのリンク方向（即ち、ＴＤＤコンフィギュレーション）を隣接セルのｅＮｏｄｅＢ１００−３により通知される。
【０１１８】
（電力制御部１６９）
電力制御部１６９は、セル１０における送信電力を制御する。例えば、電力制御部１６９は、セル１０でのリンク方向と当該セル１０に隣接する隣接セルでのリンク方向とが異なるサブフレームにおいて、セル１０内の送信電力を小さくする。より具体的には、電力制御部１６９は、ダウンリンクに小さい送信電力を割り当てる。また、電力制御部１６９は、セル１０の中心部に位置するＵＥ２００に、アップリンクに小さい送信電力を割り当てさせる。
【０１１９】
＜４．４．処理の流れ＞
次に、図２１を参照して、第３の実施形態に係る通信制御処理の一例について説明する。図２１は、第３の実施形態に係る通信制御処理の概略的な流れの一例を示すフローチャートである。なお、当該通信制御処理は、ｅＮｏｄｅＢ１００−３における処理である。
【０１２０】
まず、ステップＳ７０１で、端末位置測定部１４１は、セル１０内のＵＥ２００の位置を測定する。また、ステップＳ７０３で、トラフィック量測定部１４３は、セル１０内のアップリンクのトラフィック量及びダウンリンクのトラフィック量を測定する。
【０１２１】
ステップＳ７０５で、リンク方向設定部１６５は、測定されたトラフィック量に基づいてサブフレームごとのリンク方向（即ち、ＴＤＤコンフィギュレーション）を設定する。また、ステップＳ７０７で、リンク方向設定部１６５は、例えばネットワーク通信部１２０を介して、セル１０でのリンク方向を隣接セルに通知する。また、ステップＳ７０９で、リソース制御部１６７は、隣接セルでのリンク方向（即ち、ＴＤＤコンフィギュレーション）を隣接セルにより通知される。
【０１２２】
ステップＳ７１１で、リソース制御部１６７は、セル１０でのリンク方向と当該セル１０に隣接する隣接セルでのリンク方向とが異なるサブフレームにおける通信リソースを、セル１０の端部に位置しない（即ち、セル１０の中心部に位置する）ＵＥ２００に割り当てる。また、ステップＳ７１３で、リソース制御部１６７は、セル１０でのリンク方向と当該セル１０に隣接する隣接セルでのリンク方向とが同一であるサブフレームにおける通信リソースを、セル１０内に位置するＵＥ２００に割り当てる。
【０１２３】
ステップＳ７１５で、無線通信部１１０は、割り当てられた通信リソースを用いてＵＥ２００と通信する。
【０１２４】
＜＜５．第４の実施形態＞＞
＜５．１．概略＞
上述した第３の実施形態では、別のセルに隣接するセルのｅＮｏｄｅＢの動作に着目した。次に説明する本開示の第４実施形態では、マクロセルに一部又は全体で重複するスモールセルのｅＮｏｄｅＢの動作に着目する。当該第４の実施形態では、スモールセルでのリンク方向と当該スモールセルの一部又は全体と重複するマクロセルのリンク方向とが異なるサブフレームにおける通信リソースは、上記スモールセルにおいて、当該モールセルの端部に位置する端末装置に割り当てられない。以下、このような第４の実施形態の概略を、図２２を参照してより具体的に説明する。
【０１２５】
図２２は、第４の実施形態の概略を説明するための説明図である。図２２を参照すると、スモールセルであるセル１０と、セル１０の一部又は全体と重複するマクロセル３０とが示されている。セル１０では、サブフレームごとのリンク方向（即ち、ＴＤＤコンフィギュレーション）が動的に設定される。一方、マクロセル３０では、サブフレームごとのリンク方向（即ち、ＴＤＤコンフィギュレーション）が、動的に設定されてもよく、又は静的若しくは準静的に設定されてもよい。一例として、ある無線フレームにおいて、セル１０では、各周波数帯域に、図３のＣｏｎｆｉｇｕｒａｔｉｏｎ  ６に該当するＴＤＤコンフィギュレーションが設定されている。また、同一の無線フレームにおいて、マクロセル３０では、各周波数帯域に、図３のＣｏｎｆｉｇｕｒａｔｉｏｎ  ０に該当するＴＤＤコンフィギュレーションが設定されている。この場合に、セル１０のリンク方向とマクロセル３０のリンク方向とが異なるサブフレームは、♯９のサブフレームである。そのため、♯０〜♯８のサブフレームでは、図５及び図６に示されるような干渉は発生しない一方、♯９のサブフレームでは、図５及び図６に示されるような干渉が発生し得る。そこで、本実施形態では、セル１０において、♯０〜８のサブフレームにおける通信リソースは、いずれのＵＥ２００にも割り当てられ得るが、♯９のサブフレームにおける通信リソースは、セル１０の端部に位置するＵＥ２００に割り当てられない。即ち、セル１０において、♯９のサブフレームにおける通信リソースは、セル１０の中心部に位置するＵＥ２００のみに割り当てられる。
【０１２６】
このような通信リソースの割当てにより、無線フレームのうちの、スモールセルであるセル１０とマクロセル３０との間でリンク方向が異なるサブフレームでは、セル１０において、通信リソースは、セル１０の中心部に位置するＵＥ２００のみに割り当てられる。そのため、セル１０において、当該サブフレームにおける送信電力を小さくすることができる。その結果、当該サブフレームでは、セル１０のアップリンク信号は、マクロセル３０のダウンリンク信号にほとんど干渉せず、セル１０のダウンリンク信号は、マクロセル３０のアップリンク信号にほとんど干渉しない。即ち、隣接するセル間でリンク方向が異なるサブフレームでも、図５及び図６に示されるようなスモールセル側からマクロセル側への干渉はほとんど発生しない。
【０１２７】
さらに、スモールセルであるセル１０の中心部に位置するＵＥ２００とｅＮｏｄｅＢ１００−４との距離は、ｅＮｏｄｅＢ３１とｅＮｏｄｅＢ１００−４との距離と比べて小さいので、マクロセル３０のダウンリンク信号は、セル１０のアップリンク信号にほとんど干渉しない。また、セル１０の中心部に位置するＵＥ２００とｅＮｏｄｅＢ１００−４との距離は、当該ＵＥ２００とｅＮｏｄｅＢ３１と通信するＵＥ２００との距離と比べて小さいので、マクロセル３０のアップリンク信号は、セル１０のダウンリンク信号にほとんど干渉しない。即ち、隣接するセル間でリンク方向が異なるサブフレームでも、図５及び図６に示されるようなマクロセル側からスモールセル側への干渉はほとんど発生しない。
【０１２８】
また、当然ながら、無線フレームのうちの、セル１０とマクロセル３０との間でリンク方向が同一のサブフレームでも、図５及び図６に示されるような干渉は発生しない。
【０１２９】
したがって、ＴＤＤを採用する無線通信システムにおいて、動的なリンク方向の設定によりスループットを向上させつつ、隣接するセル間での干渉を抑制することが可能になる。
【０１３０】
＜５．２．ｅＮｏｄｅＢの構成＞
図２３を参照して、第４の実施形態に係るｅＮｏｄｅＢ１００−４の構成の一例について説明する。図２３は、第４の実施形態に係るｅＮｏｄｅＢ１００−４の構成の一例を示すブロック図である。図２３を参照すると、ｅＮｏｄｅＢ１００−４は、無線通信部１１０、ネットワーク通信部１２０、記憶部１３０及び処理部１７０を備える。
【０１３１】
ここで、無線通信部１１０、ネットワーク通信部１２０及び記憶部１３０については、第３の実施形態と第４の実施形態との間で差異はない。また、処理部１７０の中でも、端末位置測定部１４１、トラフィック量測定部１４３及びリンク方向設定部１６５についても、第３の実施形態と第４の実施形態との間に差異はない。よって、ここでは、リソース制御部１７７及び電力制御部１７９について説明する。
【０１３２】
（リソース制御部１７７）
リソース制御部１７７は、サブフレームごとのリンク方向を動的に設定可能なチャネルのリンク方向の設定とセル１０内のＵＥ２００の位置とに基づいて、ＵＥ２００への通信リソースの割当てを制御する。とりわけ、本実施形態では、リソース制御部１７７は、セル１０でのリンク方向と当該セル１０に関連する関連セルでのリンク方向とが異なるサブフレームにおける通信リソースを、セル１０の端部に位置するＵＥ２００に割り当てない。ここでは、セル１０は、スモールセルであり、上記関連セルは、セル１０の一部又は全体と重複するマクロセルである。例えば、セル１０とマクロセル３０との間でリンク方向が異なるサブフレームが、♯９のサブフレームである場合に、リソース制御部１７７は、♯９のサブフレームにおける通信リソースを、セル１０の端部に位置するＵＥ２００に割り当てない。即ち、リソース制御部１７７は、♯９のサブフレームにおける通信リソースを、セル１０の中心部に位置するＵＥ２００のみに割り当てる。また、リソース制御部１６７は、♯０〜８のサブフレームにおける通信リソースを、セル１０の端部に位置するＵＥ２００及びセル１０の中心部に位置するＵＥ２００に割り当てる。
【０１３３】
なお、リソース制御部１７７は、マクロセル３０でのリンク方向（即ち、ＴＤＤコンフィギュレーション）をマクロセル３０のｅＮｏｄｅＢ３１により通知される。
【０１３４】
（電力制御部１７９）
電力制御部１７９は、セル１０における送信電力を制御する。例えば、電力制御部１７９は、セル１０でのリンク方向とマクロセル３０でのリンク方向とが異なるサブフレームにおいて、セル１０内の送信電力を小さくする。より具体的には、電力制御部１７９は、ダウンリンクに小さい送信電力を割り当てる。また、電力制御部１７９は、セル１０の中心部に位置するＵＥ２００に、アップリンクに小さい送信電力を割り当てさせる。
【０１３５】
なお、電力制御部１７９は、電力制御部１７９は、セル１０でのリンク方向とマクロセル３０でのリンク方向とが異なるサブフレームにおいてマクロセル３０での送信電力を減少させるように、マクロセル３０のｅＮｏｄｅＢ３１に要求してもよい。例えば、電力制御部１７９は、ネットワーク通信部１２０を介して、セル１０でのリンク方向とマクロセル３０でのリンク方向とが異なるサブフレームを、ｅＮｏｄｅＢ３１に通知する。このようにマクロセル３０における送信電力を減少させることで、マクロセル３０のダウンリンク信号によるセル１０のアップリンク信号への干渉、及びマクロセル３０のアップリンク信号によるセル１０のダウンリンク信号への干渉をより抑制することができる。
【０１３６】
＜５．３．処理の流れ＞
次に、図２４を参照して、第４の実施形態に係る通信制御処理の一例について説明する。図２４は、第４の実施形態に係る通信制御処理の概略的な流れの一例を示すフローチャートである。なお、当該通信制御処理は、ｅＮｏｄｅＢ１００−４における処理である。図２１を参照して説明された第３の実施形態に係る通信制御処理のステップＳ７０１〜Ｓ７０５、Ｓ７１５は、それぞれ、第４の実施形態に係る通信制御処理のステップＳ８０１〜Ｓ８０５、Ｓ８１５に対応する。よって、ここでは、図２１を参照して説明された第３の実施形態に係る通信制御処理の一例と、当該第４の実施形態に係る通信制御処理の一例との差分である、ステップＳ８０７、Ｓ８１１、Ｓ８１３のみを説明する。
【０１３７】
ステップＳ８０７で、リソース制御部１７７は、マクロセル３０でのリンク方向（即ち、ＴＤＤコンフィギュレーション）をマクロセル３０のｅＮｏｄｅＢ３１により通知される。
【０１３８】
ステップＳ８１１で、リソース制御部１７７は、セル１０でのリンク方向とマクロセル３０でのリンク方向とが異なるサブフレームにおける通信リソースを、セル１０の端部に位置しない（即ち、セル１０の中心部に位置する）ＵＥ２００に割り当てる。また、ステップＳ８１３で、リソース制御部１７７は、セル１０でのリンク方向とマクロセル３０でのリンク方向とが同一であるサブフレームにおける通信リソースを、セル１０内に位置するＵＥ２００に割り当てる。
【０１３９】
＜＜６．まとめ＞＞
ここまで、図１〜図２４を用いて、本開示の実施形態に係るｅＮｏｄｅＢ１００について説明した。本実施形態によれば、サブフレームごとのリンク方向を動的に設定可能なチャネルのリンク方向の設定とセル１０内のＵＥ２００の位置とに基づいて、ＵＥ２００への通信リソースの割当てが制御される。
【０１４０】
例えば、上記第１の実施形態及び第２の実施形態のように、第１の周波数帯域のサブフレームごとのリンク方向が動的に設定され、第２の周波数帯域のサブフレームごとのリンク方向が、セル１０と当該セル１０に関連する関連セル（隣接セル又はマクロセル）との間のリンク方向の相違が少なくなるように設定される。そして、セル１０の端部に位置するＵＥ２００には、上記第１の周波数帯域の通信リソースは、割り当てられない。
【０１４１】
このようなＴＤＤコンフィギュレーションの設定及び通信リソースの割当てにより、動的にリンク方向が設定される周波数帯域の通信リソースは、セル１０の中心部に位置するＵＥ２００のみに割り当てられる。そのため、当該通信リソースの送信電力を小さくすることができる。その結果、当該通信リソース上でのアップリンク信号は、関連セルのダウンリンク信号にほとんど干渉せず、当該通信リソース上でのダウンリンク信号は、関連セルのアップリンク信号にほとんど干渉しない。即ち、動的にリンク方向が設定される周波数帯域では、図４〜図６に示されるような干渉はほとんど発生しない。なお、関連セルとのリンク方向の相違が少ない周波数帯域の通信リソースのみが、セル１０の端部に位置するＵＥ２００に割り当てられるので、当然ながら、当該周波数帯域では、図４〜図６に示されるような干渉はほとんど発生しない。したがって、ＴＤＤを採用する無線通信システムにおいて、動的なリンク方向の設定によりスループットを向上させつつ、隣接するセル間での干渉を抑制することが可能になる。
【０１４２】
また、例えば、上記第３の実施形態及び第４の実施形態のように、セル１０でのリンク方向と当該セル１０に関連する関連セル（隣接セル又はマクロセル）でのリンク方向とが異なるサブフレームにおける通信リソースは、セル１０の端部に位置するＵＥ２００に割り当てられない。
【０１４３】
このような通信リソースの割当てにより、無線フレームのうちの、セル１０と関連セルとの間でリンク方向が異なるサブフレームでは、通信リソースは、セル１０の中心部に位置するＵＥ２００のみに割り当てられる。そのため、セル１０において、当該サブフレームにおける送信電力を小さくすることができる。その結果、当該サブフレームでは、セル１０のアップリンク信号は、関連セルのダウンリンク信号にほとんど干渉せず、セル１０のダウンリンク信号は、関連セルのアップリンク信号にほとんど干渉しない。即ち、セル１０と関連セルとの間でリンク方向が異なるサブフレームでも、図４〜図６に示されるような干渉はほとんど発生しない。また、当然ながら、無線フレームのうちの、隣接するセル間でリンク方向が同一のサブフレームでも、図４〜図６に示されるような干渉はほとんど発生しない。したがって、ＴＤＤを採用する無線通信システムにおいて、動的なリンク方向の設定によりスループットを向上させつつ、隣接するセル間での干渉を抑制することが可能になる。
【０１４４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４５】
例えば、上記実施形態では、前提となる無線通信システムは、ＬＴＥ又はＬＴＥ−Ａｄｖａｎｃｅｄに準拠した無線通信システムであったが、本技術はかかる例に限定されない。例えば、前提となる無線通信システムは、ＬＴＥ又はＬＴＥ−Ａｄｖａｎｃｅｄに類似する無線通信システムであってもよく、又はＬＴＥ又はＬＴＥ−Ａｄｖａｎｃｅｄからさらに発展した規格に準拠した無線通信システムであってもよい。
【０１４６】
また、上記実施形態では、セルの通信制御を行う通信制御装置は、ＬＴＥ又はＬＴＥ−ＡｄｖａｎｃｅｄのｅＮｏｄｅＢであったが、本技術はかかる例に限定されない。例えば、上記通信制御装置は、別の通信規格に準拠した基地局であってもよく、又は当該基地局の一部を構成する装置であってもよい。また、上記通信制御装置は、基地局を制御する別の装置であってもよい。
【０１４７】
また、上記実施形態では、セル内で通信する端末装置は、ＬＴＥ又はＬＴＥ−ＡｄｖａｎｃｅｄのＵＥであったが、本技術はかかる例に限定されない。例えば、上記端末装置は、別の通信規格に準拠した端末装置であってもよい。
【０１４８】
なお、以下のような構成も本開示の技術的範囲に属する。
（１）
無線通信における時間の単位であるサブフレームごとのリンク方向を動的に設定可能なチャネル上で、セル内の１つ以上の端末装置と通信する無線通信部と、
前記チャネルのリンク方向の設定と前記セル内の端末装置の位置とに基づいて、前記端末装置への通信リソースの割当てを制御する制御部と、
を備える通信制御装置。
（２）
前記チャネルは、少なくとも第１の周波数帯域及び第２の周波数帯域を含み、
前記通信制御装置は、前記第１の周波数帯域のサブフレームごとのリンク方向を動的に設定し、前記第２の周波数帯域のサブフレームごとのリンク方向を、前記セルと当該セルに関連する関連セルとの間のリンク方向の相違が少なくなるように設定する設定部、をさらに備え、
前記制御部は、前記セルの端部に位置する端末装置に前記第１の周波数帯域の通信リソースを割り当てない、
前記（１）に記載の通信制御装置。
（３）
前記関連セルは、前記セルに隣接する隣接セルである、前記（２）に記載の通信制御装置。
（４）
前記セルは、スモールセルの一部又は全体と重複するマクロセルであり、
前記設定部は、前記スモールセルでのサブフレームごとのリンク方向を、前記セルと前記スモールセルとの間のリンク方向の相違が少なくなるように前記スモールセルの通信ノードに設定させる、
前記（３）に記載の通信制御装置。
（５）
前記設定部は、前記スモールセルが前記セルの端部に位置する場合に、前記スモールセルでの前記第２の周波数帯域のリンク方向を、前記セルと前記スモールセルとの間のリンク方向の相違が少なくなるように前記スモールセルの通信ノードに設定させる、
前記（４）に記載の通信制御装置。
（６）
前記通信ノードは、前記スモールセルが前記セルの端部に位置する場合に、前記第２の周波数帯域とは別の周波数帯域のサブフレームごとのリンク方向を動的に設定し、且つ前記スモールセルの端部に位置する端末装置に当該別の周波数帯域の通信リソースを割り当てない、前記（５）に記載の通信制御装置。
（７）
前記設定部は、前記スモールセルが前記セルの端部に位置しない場合に、前記スモールセルでの前記第１の周波数帯域のリンク方向を、前記セルと前記スモールセルとの間のリンク方向の相違が少なくなるように前記スモールセルの通信ノードに設定させる、前記（４）〜（６）のいずれか１項に記載の通信制御装置。
（８）
前記通信ノードは、前記スモールセルが前記セルの端部に位置しない場合に、前記第１の周波数帯域とは別の周波数帯域のサブフレームごとのリンク方向を動的に設定し、且つ前記スモールセルの端部に位置する端末装置に当該別の周波数帯域の通信リソースを割り当てない、前記（７）に記載の通信制御装置。
（９）
前記設定部は、当該設定部により設定される前記第１の周波数帯域のサブフレームごとのリンク方向又は前記第２の周波数帯域のサブフレームごとのリンク方向を前記通信ノードに通知することにより、前記スモールセルでのサブフレームごとのリンク方向を前記通信ノードに設定させる、前記（４）〜（８）のいずれか１項に記載の通信制御装置。
（１０）
前記制御部は、前記セルでのリンク方向と前記スモールセルでのリンク方向とが異なるサブフレームにおいて前記セルでの送信電力を減少させる、前記（４）〜（９）のいずれか１項に記載の通信制御装置。
（１１）
前記セルは、スモールセルであり、
前記関連セルは、前記セルの一部又は全体と重複するマクロセルである、
前記（２）に記載の通信制御装置。
（１２）
前記関連セルでは、端末装置の位置に応じた周波数帯域の通信リソースが当該端末装置に割り当てられ、
前記第２の周波数帯域は、前記セルが前記関連セルの端部に位置する場合に、前記関連セルの端部に位置する端末装置に割り当てられる周波数帯域であり、前記セルが前記関連セルの端部に位置しない場合に、前記関連セルの端部に位置しない端末装置に割り当てられる周波数帯域である、
前記（１１）に記載の通信制御装置。
（１３）
前記制御部は、前記セルでの前記第２の周波数帯域のリンク方向と前記関連セルでの前記第２の周波数帯域のリンク方向とが異なるサブフレームにおいて前記関連セルでの送信電力を減少させるように、前記関連セルの通信ノードに要求する、前記（１１）又は（１２）に記載の通信制御装置。
（１４）
前記設定部は、前記第２の周波数帯域のサブフレームごとの前記リンク方向を静的又は準静的に設定する、前記（２）〜（１３）のいずれか１項に記載の通信制御装置。
（１５）
前記第１の周波数帯域及び前記第２の周波数帯域の各々はコンポーネントキャリアである、前記（２）〜（１４）のいずれか１項に記載の通信制御装置。
（１６）
前記制御部は、前記セルでのリンク方向と当該セルに関連する関連セルでのリンク方向とが異なるサブフレームにおける通信リソースを、前記セルの端部に位置する端末装置に割り当てない、前記（１）に記載の通信制御装置。
（１７）
前記関連セルは、前記セルに隣接する隣接セルである、前記（１６）に記載の通信制御装置。
（１８）
前記セルは、スモールセルであり、
前記関連セルは、前記セルの一部又は全体と重複するマクロセルである、
前記（１６）に記載の通信制御装置。
（１９）
無線通信における時間の単位であるサブフレームごとのリンク方向を動的に設定可能なチャネル上で、セル内の１つ以上の端末装置と通信することと、
前記チャネルのリンク方向の設定と前記セル内の端末装置の位置とに基づいて、前記端末装置への通信リソースの割当てを制御することと、
を含む通信制御方法。
（２０）
無線通信における時間の単位であるサブフレームごとのリンク方向を動的に設定可能なチャネル上で、セル内の基地局と通信する無線通信部
を備え、
前記無線通信部は、前記チャネルのリンク方向の設定と前記セル内の自装置の位置とに基づく前記基地局による自装置への通信リソースの割当てに従って、前記基地局と通信する、
端末装置。
【符号の説明】
【０１４９】
１０                              セル
１１、３１、４１                  ｅＮｏｄｅＢ
１３、３３、４３                  ダウンリンク信号
２３、２５、２７                  アップリンク信号
２１                              ＵＥ
３０                              マクロセル
４０                              スモールセル
１００                            ｅＮｏｄｅＢ
１１０                            無線通信部
１２０                            ネットワーク通信部
１３０                            記憶部
１４０、１５０、１６０、１７０    処理部
１４１                            端末位置測定部
１４３                            トラフィック量測定部
１４５、１５５、１６５            リンク方向設定部
１４７、１６７、１７７            リソース制御部
１４９、１５９、１６９、１７９    電力制御部
２００                            ユーザ機器（ＵＥ）
２１０                            無線通信部
２２０                            記憶部
２３０                            処理部
【図１】
2013168467.tif 000003
【図２】
2013168467.tif 000004
【図３】
2013168467.tif 000005
【図４】
2013168467.tif 000006
【図５】
2013168467.tif 000007
【図６】
2013168467.tif 000008
【図７】
2013168467.tif 000009
【図８】
2013168467.tif 000010
【図９】
2013168467.tif 000011
【図１０】
2013168467.tif 000012
【図１１】
2013168467.tif 000013
【図１２】
2013168467.tif 000014
【図１３】
2013168467.tif 000015
【図１４】
2013168467.tif 000016
【図１５】
2013168467.tif 000017
【図１６】
2013168467.tif 000018
【図１７】
2013168467.tif 000019
【図１８】
2013168467.tif 000020
【図１９】
2013168467.tif 000021
【図２０】
2013168467.tif 000022
【図２１】
2013168467.tif 000023
【図２２】
2013168467.tif 000024
【図２３】
2013168467.tif 000025
【図２４】
2013168467.tif 000026
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
無線通信における時間の単位であるサブフレームごとのリンク方向を動的に設定可能なチャネル上で、セル内の１つ以上の端末装置と通信する無線通信部と、
前記チャネルのリンク方向の設定と前記セル内の端末装置の位置とに基づいて、前記端末装置への通信リソースの割当てを制御する制御部と、
を備える通信制御装置。
【請求項２】
前記チャネルは、少なくとも第１の周波数帯域及び第２の周波数帯域を含み、
前記通信制御装置は、前記第１の周波数帯域のサブフレームごとのリンク方向を動的に設定し、前記第２の周波数帯域のサブフレームごとのリンク方向を、前記セルと当該セルに関連する関連セルとの間のリンク方向の相違が少なくなるように設定する設定部、をさらに備え、
前記制御部は、前記セルの端部に位置する端末装置に前記第１の周波数帯域の通信リソースを割り当てない、
請求項１に記載の通信制御装置。
【請求項３】
前記関連セルは、前記セルに隣接する隣接セルである、請求項２に記載の通信制御装置。
【請求項４】
前記セルは、スモールセルの一部又は全体と重複するマクロセルであり、
前記設定部は、前記スモールセルでのサブフレームごとのリンク方向を、前記セルと前記スモールセルとの間のリンク方向の相違が少なくなるように前記スモールセルの通信ノードに設定させる、
請求項３に記載の通信制御装置。
【請求項５】
前記設定部は、前記スモールセルが前記セルの端部に位置する場合に、前記スモールセルでの前記第２の周波数帯域のリンク方向を、前記セルと前記スモールセルとの間のリンク方向の相違が少なくなるように前記スモールセルの通信ノードに設定させる、
請求項４に記載の通信制御装置。
【請求項６】
前記通信ノードは、前記スモールセルが前記セルの端部に位置する場合に、前記第２の周波数帯域とは別の周波数帯域のサブフレームごとのリンク方向を動的に設定し、且つ前記スモールセルの端部に位置する端末装置に当該別の周波数帯域の通信リソースを割り当てない、請求項５に記載の通信制御装置。
【請求項７】
前記設定部は、前記スモールセルが前記セルの端部に位置しない場合に、前記スモールセルでの前記第１の周波数帯域のリンク方向を、前記セルと前記スモールセルとの間のリンク方向の相違が少なくなるように前記スモールセルの通信ノードに設定させる、請求項４〜６のいずれか１項に記載の通信制御装置。
【請求項８】
前記通信ノードは、前記スモールセルが前記セルの端部に位置しない場合に、前記第１の周波数帯域とは別の周波数帯域のサブフレームごとのリンク方向を動的に設定し、且つ前記スモールセルの端部に位置する端末装置に当該別の周波数帯域の通信リソースを割り当てない、請求項７に記載の通信制御装置。
【請求項９】
前記設定部は、当該設定部により設定される前記第１の周波数帯域のサブフレームごとのリンク方向又は前記第２の周波数帯域のサブフレームごとのリンク方向を前記通信ノードに通知することにより、前記スモールセルでのサブフレームごとのリンク方向を前記通信ノードに設定させる、請求項４〜８のいずれか１項に記載の通信制御装置。
【請求項１０】
前記制御部は、前記セルでのリンク方向と前記スモールセルでのリンク方向とが異なるサブフレームにおいて前記セルでの送信電力を減少させる、請求項４〜９のいずれか１項に記載の通信制御装置。
【請求項１１】
前記セルは、スモールセルであり、
前記関連セルは、前記セルの一部又は全体と重複するマクロセルである、
請求項２に記載の通信制御装置。
【請求項１２】
前記関連セルでは、端末装置の位置に応じた周波数帯域の通信リソースが当該端末装置に割り当てられ、
前記第２の周波数帯域は、前記セルが前記関連セルの端部に位置する場合に、前記関連セルの端部に位置する端末装置に割り当てられる周波数帯域であり、前記セルが前記関連セルの端部に位置しない場合に、前記関連セルの端部に位置しない端末装置に割り当てられる周波数帯域である、
請求項１１に記載の通信制御装置。
【請求項１３】
前記制御部は、前記セルでの前記第２の周波数帯域のリンク方向と前記関連セルでの前記第２の周波数帯域のリンク方向とが異なるサブフレームにおいて前記関連セルでの送信電力を減少させるように、前記関連セルの通信ノードに要求する、請求項１１又は１２に記載の通信制御装置。
【請求項１４】
前記設定部は、前記第２の周波数帯域のサブフレームごとの前記リンク方向を静的又は準静的に設定する、請求項２〜１３のいずれか１項に記載の通信制御装置。
【請求項１５】
前記第１の周波数帯域及び前記第２の周波数帯域の各々はコンポーネントキャリアである、請求項２〜１４のいずれか１項に記載の通信制御装置。
【請求項１６】
前記制御部は、前記セルでのリンク方向と当該セルに関連する関連セルでのリンク方向とが異なるサブフレームにおける通信リソースを、前記セルの端部に位置する端末装置に割り当てない、請求項１に記載の通信制御装置。
【請求項１７】
前記関連セルは、前記セルに隣接する隣接セルである、請求項１６に記載の通信制御装置。
【請求項１８】
前記セルは、スモールセルであり、
前記関連セルは、前記セルの一部又は全体と重複するマクロセルである、
請求項１６に記載の通信制御装置。
【請求項１９】
無線通信における時間の単位であるサブフレームごとのリンク方向を動的に設定可能なチャネル上で、セル内の１つ以上の端末装置と通信することと、
前記チャネルのリンク方向の設定と前記セル内の端末装置の位置とに基づいて、前記端末装置への通信リソースの割当てを制御することと、
を含む通信制御方法。
【請求項２０】
無線通信における時間の単位であるサブフレームごとのリンク方向を動的に設定可能なチャネル上で、セル内の基地局と通信する無線通信部
を備え、
前記無線通信部は、前記チャネルのリンク方向の設定と前記セル内の自装置の位置とに基づく前記基地局による自装置への通信リソースの割当てに従って、前記基地局と通信する、
端末装置。
【国際調査報告】
2013168467.tif 000027
2013168467.tif 000028
2013168467.tif 000029